(57)【要約】【課題】外部の通信機器からの操作指示を撮像装置のユーザに対して適切に認識させ、当該ユーザ自らの意志により撮像装置の操作を行わせることができること。【解決手段】撮像装置２は、被写体を撮像して画像データを生成する撮像部２１と、画像データに対応する画像を表示する第１表示部２３と、外部の通信機器３から操作指示に関する操作指示情報を受信する第１通信部２５と、第１通信部２５が操作指示情報を受信した後、画像データに対して画像処理を施して、操作指示情報に基づく操作指示に応じた処理済画像データを生成する画像処理部２２と、処理済画像データに対応する処理済画像を第１表示部２３に表示させ、ユーザに対して操作指示情報に基づく操作指示に応じた操作を促す第１表示制御部２８２とを備える。【選択図】図１
2015070477.tif 000002
【特許請求の範囲】
【請求項１】
被写体を撮像して画像データを生成する撮像部と、
前記画像データに対応する画像を表示する第１表示部と、
外部の通信機器から操作指示に関する操作指示情報を受信する第１通信部と、
前記第１通信部が前記操作指示情報を受信した後、前記画像データに対して画像処理を施して、前記操作指示情報に基づく操作指示に応じた処理済画像データを生成する画像処理部と、
前記処理済画像データに対応する処理済画像を前記第１表示部に表示させ、ユーザに対して前記操作指示情報に基づく操作指示に応じた操作を促す第１表示制御部とを備える
ことを特徴とする撮像装置。
【請求項２】
前記画像処理部は、
前記画像データに対して画像処理を施して、前記操作指示に応じた操作が行われた際に前記撮像部にて生成される画像データを擬似的に表現した前記処理済画像データを生成する
ことを特徴とする請求項１に記載の撮像装置。
【請求項３】
前記第１通信部が前記操作指示情報を受信した後、前記操作指示情報に基づく操作指示に応じた操作が行われつつあるか否かを判定する操作判定部を備え、
前記第１通信部は、
前記操作判定部による判定結果を前記外部の通信機器に送信する
ことを特徴とする請求項１または２に記載の撮像装置。
【請求項４】
前記第１通信部は、
前記操作判定部にて前記操作指示情報に基づく操作指示に応じた操作が行われていないと判定された場合にのみ当該判定結果を前記外部の通信機器に送信する
ことを特徴とする請求項３に記載の撮像装置。
【請求項５】
前記第１表示部に前記処理済画像を表示させる際の複数の表示態様のうちいずれかの表示態様の選択指示を受け付ける指示受付部を備え、
前記第１表示制御部は、
前記指示受付部が受け付けた選択指示に対応する表示態様で、前記第１表示部に前記処理済画像を表示させる
ことを特徴とする請求項１〜４のいずれか一つに記載の撮像装置。
【請求項６】
前記第１表示制御部は、
前記撮像部にて生成された前記画像データに対応する画像と前記処理済画像とを時間的に交互に表示する表示態様、または前記撮像部にて生成された前記画像データに対応する画像と前記処理済み画像とを並べて表示する表示態様で前記第１表示部に表示させる
ことを特徴とする請求項１〜５のいずれか一つに記載の撮像装置。
【請求項７】
前記第１表示制御部は、
前記撮像部にて生成された前記画像データに対応する画像と前記処理済画像とを重畳させた表示態様で前記第１表示部に表示させる
ことを特徴とする請求項１〜５のいずれか一つに記載の撮像装置。
【請求項８】
前記操作指示は、
撮像される画角を変更させる画角変更指示であり、
前記画像処理部は、
前記画像データに対して画像処理を施すことで、前記第１表示部における画像表示領域内において、当該画像表示領域内の画像を前記画角変更指示に応じて移動させるとともに、当該画像の移動後の空白領域をブランク状態とした前記処理済画像を生成する
ことを特徴とする請求項６または７に記載の撮像装置。
【請求項９】
前記第１通信部が前記操作指示情報を受信した後、前記操作指示情報に基づく前記画角変更指示に応じた操作が行われつつあるか否かを判定する操作判定部を備え、
前記画像処理部は、
前記操作判定部にて前記操作指示情報に基づく画角変更指示に応じた操作が行われつつあると判定された場合には、前記撮像部にて撮像された画像データに基づいて、ブランク状態とした前記空白領域を徐々に狭める
ことを特徴とする請求項８に記載の撮像装置。
【請求項１０】
請求項１〜９のいずれか一つに記載の撮像装置と、
前記撮像装置との間で情報を送受信可能に接続される通信機器とを備え、
前記通信機器は、
前記撮像装置の操作指示を示すユーザ操作を受け付ける操作受付部と、
前記ユーザ操作に応じて、前記撮像装置に対して前記操作指示に関する操作指示情報を送信する第２通信部とを備える
ことを特徴とする撮像システム。
【請求項１１】
前記撮像装置は、
前記第１通信部が前記操作指示情報を受信した後、前記操作指示情報に基づく操作指示に応じた操作が行われたか否かを判定する操作判定部を備え、
前記第１通信部は、
前記画像データと、前記操作判定部にて前記操作指示情報に基づく操作指示に応じた操作が行われていないと判定された場合での当該判定結果に関する判定結果情報とを前記通信機器にそれぞれ送信し、
前記第２通信部は、
前記撮像装置から前記画像データ及び前記判定結果情報を受信し、
前記通信機器は、
前記第２通信部が受信した前記画像データに対応する画像を表示する第２表示部と、
前記第２通信部が前記判定結果を受信した後、前記第２表示部による画像の表示態様を前記判定結果に応じた表示態様に変更する第２表示制御部とを備える
ことを特徴とする請求項１０に記載の撮像システム。
【請求項１２】
被写体を撮像する撮像装置と、前記撮像装置との間で情報を送受信可能に接続される通信機器とを備えた撮像システムにおいて、
前記撮像装置は、
被写体を撮像して画像データを生成する撮像部と、
前記画像データに対応する画像を表示する第１表示部と、
前記第１表示部の動作を制御する第１表示制御部と、
前記画像データを前記通信機器に送信する第１通信部とを備え、
前記通信機器は、
前記撮像装置の操作指示を示す第１ユーザ操作を受け付ける操作受付部と、
前記通信機器から前記画像データを受信する第２通信部と、
前記第１ユーザ操作に応じて、前記第２通信部が受信した前記画像データに対して画像処理を施して、前記操作指示に応じた処理済画像データを生成する画像処理部とを備え、
前記第２通信部は、
前記処理済画像データを前記撮像装置に送信し、
前記第１通信部は、
前記撮像装置から前記処理済画像データを受信し、
前記第１表示制御部は、
前記第１通信部が受信した前記処理済画像データに対応する処理済画像を前記第１表示部に表示させ、前記撮像装置のユーザに対して前記操作指示に応じた操作を促す
ことを特徴とする撮像システム。
【請求項１３】
前記通信機器は、
前記第２通信部が受信した前記画像データに対応する画像、及び前記処理済画像データに対応する処理済画像を表示する第２表示部を備え、
前記操作受付部は、
前記撮像装置への前記処理済画像データの送信を指示する第２ユーザ操作を受け付け、
前記第１通信部は、
前記第２ユーザ操作に応じて、前記処理済画像データを前記撮像装置に送信する
ことを特徴とする請求項１２に記載の撮像システム。
【請求項１４】
被写体を撮像する撮像装置が行う画像表示方法において、
前記被写体を撮像して画像データを生成する撮像ステップと、
前記撮像ステップにて生成した前記画像データに対応する画像を表示部に表示する表示ステップと、
外部の通信機器から操作指示に関する操作指示情報を受信した後、前記撮像ステップにて生成した前記画像データに対して画像処理を施して、前記操作指示情報に基づく操作指示に応じた処理済画像データを生成する画像処理ステップと、
前記処理済画像データに対応する処理済画像を前記表示部に表示させ、ユーザに対して前記操作指示情報に基づく操作指示に応じた操作を促す表示変更ステップとを含む
ことを特徴とする画像表示方法。
【請求項１５】
請求項１４に記載の画像表示方法を撮像装置に実行させる
ことを特徴とする画像表示プログラム。
【発明の詳細な説明】
【技術分野】
【０００１】
本発明は、被写体を撮像する撮像装置、当該撮像装置を備えた撮像システム、当該撮像装置が行う画像表示方法、及び当該撮像装置に実行させる画像表示プログラムに関する。
【背景技術】
【０００２】
近年、デジタルカメラやデジタルビデオカメラ等の撮像装置において、撮像により生成した画像データに対応するライブビュー画像を表示部に表示するとともに、通信技術を用いて、当該画像データを携帯電話等の外部の通信機器に順次、送信する技術が知られている（例えば、特許文献１，２参照）。
特許文献１に記載の技術は、通信機器により撮像装置を遠隔操作する技術である。
具体的に、特許文献１に記載の技術では、通信機器は、撮像装置から送信された画像データを順次、受信し、当該画像データに対応するライブビュー画像を表示部に順次、表示する。通信機器のユーザは、通信機器の表示部に表示されたライブビュー画像を確認しながら、撮像装置に画像データの記録を実行させたいタイミングで通信機器に対して所定の操作を実行する。この操作により通信機器から画像データの記録要求が撮像装置に送信され、撮像装置は、当該記録要求を受信した後、撮像動作（画像データの記録動作）を行う。
【０００３】
また、特許文献２に記載の技術は、通信機器により撮像装置に対して操作指示を与える技術である。
具体的に、特許文献２に記載の技術では、通信機器は、撮像装置から送信された画像データを順次、受信し、当該画像データに対応するライブビュー画像を表示部に順次、表示する。通信機器のユーザは、通信機器の表示部に表示されたライブビュー画像を確認し、例えば、撮像装置にて撮像される画角を変更させたい場合に、通信機器に対して所定の操作を実行する。この操作により通信機器から操作指示が撮像装置に送信され、撮像装置は、当該操作指示を受信した後、当該操作指示に対応する情報（操作指示が画角を変更する画角変更指示の場合には例えば矢印等）を表示部に表示する。そして、撮像装置のユーザは、当該撮像装置の表示部に表示された情報（例えば矢印等）を確認し、当該情報に応じた操作を行うか否かを判断する。
【先行技術文献】
【特許文献】
【０００４】
【特許文献１】特開２００３−２５００７９号公報
【特許文献２】特開２００６−１４１１９号公報
【発明の概要】
【発明が解決しようとする課題】
【０００５】
特許文献１に記載の技術では、通信機器は、撮像装置を遠隔操作するリモートコントローラとして機能する。このため、通信機器のユーザの意志（操作）に従って撮像装置が動作することとなり、撮像装置のユーザ自らの意志による撮影に対応することができない、という問題がある。
例えば、周囲環境を考慮して撮影を控える必要があると撮像装置のユーザが考えた場合であっても、通信機器のユーザの意志に従って撮像装置が撮像動作を行ってしまう。
【０００６】
一方、特許文献２に記載の技術では、撮像装置のユーザは、当該撮像装置の表示部に表示された情報を確認し、当該情報に応じた操作を行うか否かを判断することができるため、上述した問題を生じることがない。
しかしながら、特許文献２に記載の技術では、通信機器から送信された操作指示を撮像装置のユーザに対して適切に認識させることができない、という問題がある。
例えば、操作指示として画角変更指示が通信機器から撮像装置に送信された場合には、撮像装置は、当該画角変更指示に対応する情報として矢印を表示部に表示する。ここで、撮像装置のユーザは、表示部に表示された矢印に基づいて、画角を変更する方向を認識することはできる。しかしながら、撮像装置のユーザは、どの程度、画角を変更すればよいのか認識することができない。
【０００７】
本発明は、上記に鑑みてなされたものであって、外部の通信機器からの操作指示を撮像装置のユーザに対して適切に認識させ、当該撮像装置のユーザ自らの意志により撮像装置の操作を行わせることができる撮像装置、撮像システム、画像表示方法、及び画像表示プログラムを提供することを目的とする。
【課題を解決するための手段】
【０００８】
上述した課題を解決し、目的を達成するために、本発明に係る撮像装置は、被写体を撮像して画像データを生成する撮像部と、前記画像データに対応する画像を表示する第１表示部と、外部の通信機器から操作指示に関する操作指示情報を受信する第１通信部と、前記第１通信部が前記操作指示情報を受信した後、前記画像データに対して画像処理を施して、前記操作指示情報に基づく操作指示に応じた処理済画像データを生成する画像処理部と、前記処理済画像データに対応する処理済画像を前記第１表示部に表示させ、ユーザに対して前記操作指示情報に基づく操作指示に応じた操作を促す第１表示制御部とを備えることを特徴とする。
【０００９】
また、本発明に係る撮像装置は、上記発明において、前記画像処理部は、前記画像データに対して画像処理を施して、前記操作指示に応じた操作が行われた際に前記撮像部にて生成される画像データを擬似的に表現した前記処理済画像データを生成することを特徴とする。
【００１０】
また、本発明に係る撮像装置は、上記発明において、前記第１通信部が前記操作指示情報を受信した後、前記操作指示情報に基づく操作指示に応じた操作が行われつつあるか否かを判定する操作判定部を備え、前記第１通信部は、前記操作判定部による判定結果を前記外部の通信機器に送信することを特徴とする。
【００１１】
また、本発明に係る撮像装置は、上記発明において、前記第１通信部は、前記操作判定部にて前記操作指示情報に基づく操作指示に応じた操作が行われていないと判定された場合にのみ当該判定結果を前記外部の通信機器に送信することを特徴とする。
【００１２】
また、本発明に係る撮像装置は、上記発明において、前記第１表示部に前記処理済画像を表示させる際の複数の表示態様のうちいずれかの表示態様の選択指示を受け付ける指示受付部を備え、前記第１表示制御部は、前記指示受付部が受け付けた選択指示に対応する表示態様で、前記第１表示部に前記処理済画像を表示させることを特徴とする。
【００１３】
また、本発明に係る撮像装置は、上記発明において、前記第１表示制御部は、前記撮像部にて生成された前記画像データに対応する画像と前記処理済画像とを時間的に交互に表示する表示態様、または前記撮像部にて生成された前記画像データに対応する画像と前記処理済画像とを並べて表示する表示態様で前記第１表示部に表示させることを特徴とする。
【００１４】
また、本発明に係る撮像装置は、上記発明において、前記第１表示制御部は、前記撮像部にて生成された前記画像データに対応する画像と前記処理済画像とを重畳させた表示態様で前記第１表示部に表示させることを特徴とする。
【００１５】
また、本発明に係る撮像装置は、上記発明において、前記操作指示は、撮像される画角を変更させる画角変更指示であり、前記画像処理部は、前記画像データに対して画像処理を施すことで、前記第１表示部における画像表示領域内において、当該画像表示領域内の画像を前記画角変更指示に応じて移動させるとともに、当該画像の移動後の空白領域をブランク状態とした前記処理済画像を生成することを特徴とする。
【００１６】
また、本発明に係る撮像装置は、上記発明において、前記第１通信部が前記操作指示情報を受信した後、前記操作指示情報に基づく前記画角変更指示に応じた操作が行われつつあるか否かを判定する操作判定部を備え、前記画像処理部は、前記操作判定部にて前記操作指示情報に基づく画角変更指示に応じた操作が行われつつあると判定された場合には、前記撮像部にて撮像された画像データに基づいて、ブランク状態とした前記空白領域を徐々に狭めることを特徴とする。
【００１７】
また、本発明に係る撮像システムは、上述した撮像装置と、前記撮像装置との間で情報を送受信可能に接続する通信機器とを備え、前記通信機器は、前記撮像装置の操作指示を示すユーザ操作を受け付ける操作受付部と、前記ユーザ操作に応じて、前記撮像装置に対して前記操作指示に関する操作指示情報を送信する第２通信部とを備えることを特徴とする。
【００１８】
また、本発明に係る撮像システムは、上記発明において、前記撮像装置は、前記第１通信部が前記操作指示情報を受信した後、前記操作指示情報に基づく操作指示に応じた操作が行われたか否かを判定する操作判定部を備え、前記第１通信部は、前記画像データと、前記操作判定部にて前記操作指示情報に基づく操作指示に応じた操作が行われていないと判定された場合での当該判定結果に関する判定結果情報とを前記通信機器にそれぞれ送信し、前記第２通信部は、前記撮像装置から前記画像データ及び前記判定結果を受信し、前記通信機器は、前記操作指示情報を前記撮像装置に送信するとともに、前記撮像装置から前記画像データ及び前記判定結果を受信する第２通信部と、前記第２通信部が受信した前記画像データに対応する画像を表示する第２表示部と、前記第２通信部が前記判定結果を受信した後、前記第２表示部による画像の表示態様を前記判定結果に応じた表示態様に変更する第２表示制御部とを備えることを特徴とする。
【００１９】
また、本発明に係る撮像システムは、被写体を撮像する撮像装置と、前記撮像装置との間で情報を送受信可能に接続される通信機器とを備えた撮像システムにおいて、前記撮像装置は、被写体を撮像して画像データを生成する撮像部と、前記画像データに対応する画像を表示する第１表示部と、前記第１表示部の動作を制御する第１表示制御部と、前記画像データを前記通信機器に送信する第１通信部とを備え、前記通信機器は、前記撮像装置の操作指示を示す第１ユーザ操作を受け付ける操作受付部と、前記通信機器から前記画像データを受信する第２通信部と、前記第１ユーザ操作に応じて、前記第２通信部が受信した前記画像データに対して画像処理を施して、前記操作指示に応じた処理済画像データを生成する画像処理部とを備え、前記第２通信部は、前記処理済画像データを前記撮像装置に送信し、前記第１通信部は、前記撮像装置から前記処理済画像データを受信し、前記第１表示制御部は、前記第１通信部が受信した前記処理済画像データに対応する処理済画像を前記第１表示部に表示させ、前記撮像装置のユーザに対して前記操作指示に応じた操作を促すことを特徴とする。
【００２０】
また、本発明に係る撮像システムは、上記発明において、前記通信機器は、前記第２通信部が受信した前記画像データに対応する画像、及び前記処理済画像データに対応する処理済画像を表示する第２表示部を備え、前記操作受付部は、前記撮像装置への前記処理済画像データの送信を指示する第２ユーザ操作を受け付け、前記第１通信部は、前記第２ユーザ操作に応じて、前記処理済画像データを前記撮像装置に送信することを特徴とする。
【００２１】
また、本発明に係る画像表示方法は、被写体を撮像する撮像装置が行う画像表示方法において、前記被写体を撮像して画像データを生成する撮像ステップと、前記撮像ステップにて生成した前記画像データに対応する画像を表示部に表示する表示ステップと、外部の通信機器から操作指示に関する操作指示情報を受信した後、前記撮像ステップにて生成した前記画像データに対して画像処理を施して、前記操作指示情報に基づく操作指示に応じた処理済画像データを生成する画像処理ステップと、前記処理済画像データに対応する処理済画像を前記表示部に表示させ、ユーザに対して前記操作指示情報に基づく操作指示に応じた操作を促す表示変更ステップとを含むことを特徴とする。
【００２２】
また、本発明に係る画像表示プログラムは、上述した画像表示方法を撮像装置に実行させることを特徴とする。
【発明の効果】
【００２３】
本発明に係る撮像装置は、外部の通信機器からの操作指示に関する操作指示情報を受信した場合には、画像データに対して画像処理を施して当該操作指示に応じた処理済画像データを生成し、当該処理済画像データに対応する処理済画像を第１表示部に表示する。
このため、撮像装置のユーザは、第１表示部に表示された処理済画像を確認することで、当該操作指示に応じた操作を行った場合に撮像装置にて撮像される画像を擬似的に確認することができる。例えば、操作指示が画角変更指示の場合には、撮像装置のユーザは、第１表示部に表示された処理済画像を確認することで、画角を変更する方向の他、どの程度、画角を変更すればよいのかを認識することができる。
したがって、本発明に係る撮像装置によれば、外部の通信機器からの操作指示を撮像装置のユーザに対して適切に認識させ、当該ユーザ自らの意志により撮像装置の操作を行わせることができる、という効果を奏する。
【００２４】
本発明に係る撮像システムは、上述した撮像装置と同様の構成を備えるため、上述した撮像装置と同様の効果を奏する。
本発明に係る画像表示方法は、上述した撮像装置が行う画像表示方法であるため、上述した撮像装置と同様の効果を奏する。
本発明に係る画像表示プログラムは、上述した撮像装置にて実行されるプログラムであるため、上述した撮像装置と同様の効果を奏する。
【図面の簡単な説明】
【００２５】
【図１】図１は、本発明の実施の形態１に係る撮像システムの構成を示すブロック図である。
【図２】図２は、図１に示した撮像装置の動作を示すフローチャートである。
【図３】図３は、図１に示した通信機器の動作を示すフローチャートである。
【図４】図４は、図２及び図３に示した撮像システムの動作によって撮像装置及び通信機器に表示される画像を説明するための図である。
【図５】図５は、図２及び図３に示した撮像システムの動作によって撮像装置及び通信機器に表示される画像の一例を示す図である。
【図６】図６は、本発明の実施の形態２に係る撮像装置のユーザに面する側の構成を示す斜視図である。
【図７】図７は、図６に示した撮像装置の構成を示すブロック図である。
【図８】図８は、本発明の実施の形態２に係る通信機器の構成を示すブロック図である。
【図９】図９は、図６及び図７に示した撮像装置の動作を示すフローチャートである。
【図１０】図１０は、図９に示した通信・表示制御（ステップＳ３０６）の概要を示すフローチャートである。
【図１１】図１１は、図１０に示したステップＳ３０６Ｆで撮像装置に表示される画像の一例を示す図である。
【図１２】図１２は、ユーザ操作が操作指示に従っている場合に図１０に示したステップＳ３０６ＫからステップＳ３０６Ｌの間に撮像装置に表示される画像の一例を示す図である。
【図１３】図１３は、図８に示した通信機器の動作を示すフローチャートである。
【図１４】図１４は、図１３に示したステップＳ４１１で通信機器に表示される画像の一例を示す図である。
【図１５】図１５は、本発明の実施の形態３に係る撮像システムの構成を示すブロック図である。
【図１６】図１６は、図１５に示した撮像装置の動作を示すフローチャートである。
【図１７】図１７は、図１５に示した通信機器の動作を示すフローチャートである。
【図１８】図１８は、図１６及び図１７に示した撮像システムの動作によって撮像装置及び通信機器に表示される画像の一例を示す図である。
【図１９】図１９は、本発明の実施の形態１〜３の変形例を説明するための図である。
【図２０Ａ】図２０Ａは、本発明の実施の形態１〜３の変形例を説明するための図である。
【図２０Ｂ】図２０Ｂは、本発明の実施の形態１〜３の変形例を説明するための図である。
【発明を実施するための形態】
【００２６】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２７】
（実施の形態１）
〔撮像システムの概略構成〕
図１は、本発明の実施の形態１に係る撮像システム１の構成を示すブロック図である。
撮像システム１は、互いに異なるユーザによりそれぞれ操作され、無線通信により互いに情報の送受信を可能に接続する撮像装置２（図１）及び通信機器３（図１）を備える。
なお、撮像システム１としては、無線通信に限られず、有線通信により互いに情報の送受信を可能に撮像装置２及び通信機器３を接続した構成としても構わない。
そして、撮像システム１は、通信機器３のユーザが通信機器３を操作することにより、当該通信機器３のユーザから離れた場所にいる撮像装置２のユーザに対して、撮像装置２を介して操作指示を認識させ、操作指示に応じた撮像装置２への操作を促すシステムである。
【００２８】
〔撮像装置の構成〕
撮像装置２は、被写体を撮像する装置であり、例えば、デジタルカメラ、デジタルビデオカメラ、撮影機能を有する携帯電話やタブレット型携帯機器等の電子機器、内視鏡、または顕微鏡等として構成される。
なお、以下では、撮像装置２の構成として、本発明の要部を主に説明する。
この撮像装置２は、図１に示すように、撮像部２１と、画像処理部２２と、第１表示部２３と、第１入力部２４と、第１通信部２５と、第１メモリ部２６と、第１記録部２７と、第１制御部２８等を備える。
【００２９】
撮像部２１は、第１制御部２８による制御の下、被写体を撮像して画像データを生成する。この撮像部２１は、受光した光を電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。
そして、撮像部２１にて生成された画像データ（以下、ライブビュー画像データと記載）は、第１メモリ部２６に記憶される。
【００３０】
画像処理部２２は、第１制御部２８による制御の下、第１メモリ部２６に記憶されたライブビュー画像データに対して画像処理を施し、通信機器３から送信された操作指示情報に基づく操作指示に応じた処理済画像データを生成する。
そして、画像処理部２２にて画像処理が施された処理済画像データは、第１メモリ部２６に記憶される。
第１表示部２３は、液晶または有機ＥＬ（Ｅｌｅｃｔｒｏ  Ｌｕｍｉｎｅｓｃｅｎｃｅ）等からなる表示パネルを用いて構成されている。
そして、第１表示部２３は、第１制御部２８による制御の下、撮像部２１が連続的に生成し第１メモリ部２６に順次、記憶されるライブビュー画像データに対応するライブビュー画像を順次、表示（ライブビュー表示）する。また、第１表示部２３は、第１制御部２８による制御の下、画像の表示状態を、ライブビュー表示から第１メモリ部２６に記憶された処理済画像データに対応する処理済画像の表示に切り替える。
【００３１】
第１入力部２４は、ユーザ操作を受け付けるボタンやスイッチ等を用いて構成され、当該ユーザ操作に応じた指示信号を第１制御部２８に出力する。
第１通信部２５は、第１制御部２８による制御の下、通信機器３との間でライブビュー画像データや通信に必要な信号を含む各種データの無線通信を所定のプロトコルに従って行う。
第１メモリ部２６は、撮像部２１にて生成されたライブビュー画像データや、画像処理部２２にて画像処理が施された処理済画像データ等を記憶する。
第１記録部２７は、第１制御部２８が実行する各種プログラム（画像表示プログラムを含む）、プログラムの実行中に使用される各種データ、及び画像処理部２２による画像処理の動作に必要な各種パラメータ等を記録する。
【００３２】
第１制御部２８は、ＣＰＵ（Ｃｅｎｔｒａｌ  Ｐｒｏｃｅｓｓｉｎｇ  Ｕｎｉｔ）等を用いて構成され、第１入力部２４からの指示信号等に応じて撮像装置２を構成する各部に対応する指示やデータの転送等を行って撮像装置２の動作を統括的に制御する。
この第１制御部２８は、図１に示すように、第１通信制御部２８１と、第１表示制御部２８２と、操作指示認識部２８３等を備える。
第１通信制御部２８１は、第１通信部２５の動作を制御し、通信機器３との間で無線通信を行わせる。
例えば、第１通信制御部２８１は、第１通信部２５を介して、撮像部２１が連続的に生成し第１メモリ部２６に順次、記憶されるライブビュー画像データを順次、通信機器３に送信させる。
【００３３】
第１表示制御部２８２は、第１表示部２３の動作を制御し、第１メモリ部２６に記憶されたライブビュー画像データを読み出し、第１表示部２３にライブビュー表示を実行させる。
また、第１表示制御部２８２は、第１通信部２５を介して通信機器３から操作指示情報を受信した場合に、第１表示部２３の表示状態を、ライブビュー表示から第１メモリ部２６に記憶された処理済画像データに対応する処理済画像の表示に切り替える。
操作指示認識部２８３は、第１通信部２５を介して通信機器３から操作指示情報を受信した場合に、当該操作指示情報に基づく操作指示を認識する。そして、操作指示認識部２８３は、操作指示に応じた処理済画像データを生成させるべく、指示信号を画像処理部２２に出力する。
【００３４】
〔通信機器の構成〕
通信機器３は、撮像装置２と無線通信を行う機器であり、例えば、デジタルカメラ、デジタルビデオカメラ、または携帯電話やタブレット型携帯機器等として構成される。
なお、以下では、通信機器３の構成として、本発明の要部を主に説明する。
この通信機器３は、図１に示すように、第２表示部３１と、第２タッチパネル３２と、第２入力部３３と、第２通信部３４と、第２メモリ部３５と、第２記録部３６と、第２制御部３７等を備える。
【００３５】
第２表示部３１は、液晶または有機ＥＬ等からなる表示パネルを用いて構成され、第２制御部３７による制御の下、画像を表示する。
第２タッチパネル３２は、第２表示部３１の表示画面上に設けられ、外部からの物体のタッチを検出し、検出したタッチ位置に応じた位置信号を出力する。
ここで、一般的には、タッチパネルとして、抵抗膜方式、静電容量方式、光学方式等のタッチパネルがある。本実施の形態１の第２タッチパネル３２としては、いずれの方式のタッチパネルであっても適用可能である。
第２入力部３３は、ユーザ操作を受け付けるボタンやスイッチ等を用いて構成され、当該ユーザ操作に応じた指示信号を第２制御部３７に出力する。
そして、上述した第２タッチパネル３２及び第２入力部３３は、本発明に係る操作受付部としての機能を有する。
【００３６】
第２通信部３４は、第２制御部３７による制御の下、撮像装置２との間でライブビュー画像データや通信に必要な信号を含む各種データの無線通信を所定のプロトコルに従って行う。
第２メモリ部３５は、撮像装置２から送信され第２通信部３４を介して受信したライブビュー画像データ等を記憶する。
第２記録部３６は、第２制御部３７が実行する各種プログラム、及びプログラムの実行中に使用される各種データ等を記録する。
【００３７】
第２制御部３７は、ＣＰＵ等を用いて構成され、第２入力部３３からの指示信号や第２タッチパネル３２からの位置信号等に応じて通信機器３を構成する各部に対応する指示やデータの転送等を行って通信機器３の動作を統括的に制御する。
この第２制御部３７は、図１に示すように、第２通信制御部３７１と、第２表示制御部３７２と、操作指示情報生成部３７３等を備える。
第２通信制御部３７１は、第２通信部３４の動作を制御し、撮像装置２との間で無線通信を行わせる。
例えば、第２通信制御部３７１は、第２通信部３４を介して、操作指示情報生成部３７３にて生成された操作指示情報を撮像装置２に送信させる。
【００３８】
第２表示制御部３７２は、第２表示部３１に所定の画像（例えば、第２通信部３４が受信したライブビュー画像データに対応するライブビュー画像）を表示させる。
操作指示情報生成部３７３は、第２入力部３３からの指示信号や第２タッチパネル３２からの位置信号等に基づいて、操作指示に関する操作指示情報を生成する。
【００３９】
〔撮像システムの動作〕
次に、上述した撮像システム１の動作について説明する。
以下では、撮像システム１の動作として、撮像装置２の動作（本発明に係る画像表示方法）、及び通信機器３の動作を順に説明する。
【００４０】
〔撮像装置の動作〕
図２は、撮像装置２の動作を示すフローチャートである。
撮像装置２のユーザによる第１入力部２４への操作によって撮像装置２の電源がオンになる（ステップＳ１０１：Ｙｅｓ）と、第１制御部２８は、撮像部２１に撮像を開始させる（ステップＳ１０２：撮像ステップ）。そして、撮像部２１にて生成されたライブビュー画像データは、順次、第１メモリ部２６に記憶される。
続いて、第１表示制御部２８２は、第１表示部２３にライブビュー表示を開始させる（ステップＳ１０３：表示ステップ）。
また、第１通信制御部２８１は、第１通信部２５を介して、第１メモリ部２６に記憶された最新のライブビュー画像データ（ステップＳ１０３にて第１表示部２３に表示されているライブビュー画像と同一の画像データ）を順次、通信機器３に送信させる（ステップＳ１０４）。
なお、図２では、説明の便宜上、ステップＳ１０４がステップＳ１０３の後に実行される順序で図示しているが、実際にはステップＳ１０３，Ｓ１０４は略同時に実行されるものである。
【００４１】
続いて、第１通信制御部２８１は、通信機器３から第１通信部２５を介して操作指示情報を受信したか否かを判断する（ステップＳ１０５）。
操作指示情報を受信していないと判断された場合（ステップＳ１０５：Ｎｏ）には、撮像装置２は、ステップＳ１０１に戻る。
一方、操作指示情報を受信したと判断された場合（ステップＳ１０５：Ｙｅｓ）には、操作指示認識部２８３は、当該操作指示情報に基づく操作指示を認識する（ステップＳ１０６）。そして、操作指示認識部２８３は、操作指示に応じた処理済画像データを生成させるべく、指示信号を画像処理部２２に出力する。
【００４２】
続いて、画像処理部２２は、操作指示認識部２８３からの指示信号に応じて、第１メモリ部２６に記憶された最新のライブビュー画像データ（現在、第１表示部２３に表示されているライブビュー画像に対応する画像データ）に対して画像処理を施し、ステップＳ１０６にて認識された操作指示に応じた処理済画像データを生成する（ステップＳ１０７：画像処理ステップ）。そして、画像処理部２２にて画像処理が施された処理済画像データは、第１メモリ部２６に記憶される。
【００４３】
続いて、第１表示制御部２８２は、第１表示部２３の表示状態を、ライブビュー表示から第１メモリ部２６に記憶された処理済画像データに対応する処理済画像の表示に切り替える（ステップＳ１０８：表示変更ステップ）。
そして、第１表示制御部２８２は、一定期間が経過するまで（ステップＳ１０９：Ｙｅｓ）、第１表示部２３に処理済画像の表示を継続させる。
一定期間が経過した場合（ステップＳ１０９：Ｙｅｓ）には、撮像装置１は、ステップＳ１０１に戻る。そして、第１表示部２３の表示状態は、ステップＳ１０３において、処理済画像の表示からライブビュー画像の表示（ライブビュー表示）に戻る。
【００４４】
〔通信機器の動作〕
図３は、通信機器３の動作を示すフローチャートである。
通信機器３のユーザによる第２入力部３３への操作によって通信機器３の電源がオンになる（ステップＳ２０１：Ｙｅｓ）と、第２通信制御部３７１は、撮像装置２から第２通信部３４を介してライブビュー画像データを受信したか否かを判断する（ステップＳ２０２）。
ライブビュー画像データを受信していないと判断された場合（ステップＳ２０２：Ｎｏ）には、通信機器３は、ステップＳ２０１に戻る。
【００４５】
一方、ライブビュー画像データを受信したと判断された場合（ステップＳ２０２：Ｙｅｓ）には、第２制御部３７は、受信したライブビュー画像データを順次、第２メモリ部３５に記憶させる。そして、第２表示制御部３７２は、第２メモリ部３５に記憶されたライブビュー画像データを順次、読み出し、第２表示部３１に当該ライブビュー画像データに対応するライブビュー画像を表示（ライブビュー表示）させる（ステップＳ２０３）。
【００４６】
続いて、操作指示情報生成部３７３は、第２入力部３３からの指示信号や第２タッチパネル３２からの位置信号に基づいて、撮像装置２のユーザへの撮像装置２の操作指示があったか否かを判断する（ステップＳ２０４）。
操作指示がないと判断された場合（ステップＳ２０４：Ｎｏ）には、通信機器３は、ステップＳ２０１に戻る。
一方、操作指示があったと判断した場合（ステップＳ２０４：Ｙｅｓ）には、操作指示情報生成部３７３は、第２入力部３３からの指示信号や第２タッチパネル３２からの位置信号に基づいて、操作指示に関する操作指示情報を生成する（ステップＳ２０５）。
続いて、第２通信制御部３７１は、第２通信部３４を介して、ステップＳ２０５にて生成された操作指示情報を撮像装置２に送信させる（ステップＳ２０６）。この後、通信機器３は、ステップＳ２０２に戻る。
【００４７】
〔表示形態の具体例〕
以上説明した撮像システム１の動作によって撮像装置２及び通信機器３に表示される画像の具体例について説明する。
図４は、撮像システム１の動作によって撮像装置２及び通信機器３に表示される画像を説明するための図である。図５は、撮像システム１の動作によって撮像装置２及び通信機器３に表示される画像の一例を示す図である。
具体的に、図４は、撮像装置２のユーザがいる場所の風景を示す図である。図５（ａ）及び図５（ｂ）は、撮像装置２に表示される画像の一例を示す図である。図５（ｃ）及び図５（ｄ）は、通信機器３に表示される画像の一例を示す図である。
以下では、通信機器３のユーザが行う撮像装置２のユーザへの撮像装置２の操作指示（ステップＳ２０４〜Ｓ２０６）として、撮像装置２にて撮像される画角を変更させる画角変更指示である場合を例に説明する。
【００４８】
例えば、撮像装置２におけるライブビュー表示（ステップＳ１０３）として、現在表示しているライブビュー画像を図５（ａ）に示すライブビュー画像Ｗ１００とする。
この場合、上述したように、撮像装置２は、ライブビュー表示（ステップＳ１０３）を行いながら、ステップＳ１０４にて現在表示しているライブビュー画像Ｗ１００に対応するライブビュー画像データを通信機器３に送信する。そして、通信機器３は、受信したライブビュー画像データに対応するライブビュー画像を順次、表示する（ステップＳ２０３）。このため、図５（ｃ）に示すように、通信機器３が表示するライブビュー画像Ｗ２００は、撮像装置２にて表示されているライブビュー画像Ｗ１００（図５（ａ））と略同一の画像となる。
【００４９】
ここで、通信機器３のユーザは、通信機器３に表示されたライブビュー画像Ｗ２００を確認しながら、撮像装置２にて撮像される画角を変更させたい場合には、図５（ｄ）に示すように、撮像装置２の表示画面上（第２タッチパネル３２）を指でタッチした後、画角を変更させたい方向Ｄ１に当該指をスライドさせる。
なお、図５（ｄ）に示す例では、画角を右側に変更させる（撮像装置２Ａの向きを右側に変更させる）画角変更指示（操作指示）を示している。
そして、通信機器３は、第２タッチパネル３２からの位置信号に基づいて、操作指示があったと判断する（ステップＳ２０４：Ｙｅｓ）。また、通信機器３は、タッチ開始位置Ｐ１からタッチ終了位置Ｐ２までのスライド量Ｓを演算するとともに、第２表示部３１に表示しているライブビュー画像Ｗ２００の大きさ（ライブビュー画像Ｗ２００の縦や横の長さ）に対するスライド量Ｓの比率を演算する。そして、通信機器３は、方向Ｄ１及び上記比率を操作指示情報として生成し（ステップＳ２０５）、撮像装置２に送信する（ステップＳ２０６）。
【００５０】
一方、撮像装置２は、受信した操作指示情報に基づいて、以下に示すように、操作指示（ライブビュー画像データに対する画像処理により、方向Ｄ１にどの程度、画像を移動させた処理済画像データを生成すべきか）を認識する（ステップＳ１０６）。
具体的に、撮像装置２は、操作指示情報に基づく上記比率と、第１表示部２３に表示しているライブビュー画像Ｗ１００の大きさ（ライブビュー画像Ｗ１００の縦や横の長さ）とに基づいて、演算により、ライブビュー画像Ｗ１００を移動させるべき量（移動量）を認識する。
【００５１】
そして、撮像装置２は、ライブビュー画像Ｗ１００に対応するライブビュー画像データに対して画像処理を施すことにより、図５（ｂ）に示すように、第１表示部２３における画像表示領域内において、当該ライブビュー画像Ｗ１００を方向Ｄ１に上記移動量だけ移動させるとともに、当該ライブビュー画像Ｗ１００の移動後の空白領域をブランク状態とした処理済画像データ（処理済画像Ｗ１０１）を生成し（ステップＳ１０７）、表示する（ステップＳ１０８）。
すなわち、撮像装置２は、ライブビュー画像データに対して画像処理を施すことにより、撮像装置２のユーザにより操作指示に応じた操作が行われた際に撮像部２１にて生成される画像データを擬似的に表現した処理済画像データを生成している。
なお、図５に示した例では、ライブビュー画像を水平方向に移動させた処理済画像データの例のみを図示しているが、撮像装置２は、上下方向（垂直方向）や斜め方向に画角を変更させる画角変更指示の場合でも同様の方法で当該画角変更指示に応じた処理済画像データを生成する。
【００５２】
以上説明した本実施の形態１に係る撮像装置２は、通信機器２からの操作指示に関する操作指示情報を受信した場合には、ライブビュー画像データに対して画像処理を施して当該操作指示に応じた処理済画像データを生成し、当該処理済画像データに対応する処理済画像を第１表示部２３に表示する。
このため、撮像装置２のユーザは、第１表示部２３に表示された処理済画像を確認することで、当該操作指示に応じた操作を行った場合に撮像装置２にて撮像される画像を擬似的に確認することができる。例えば、操作指示が画角変更指示の場合には、ライブビュー画像Ｗ１００が画角を変更させたい方向Ｄ１に移動するとともに移動後の空白領域がブランク状態となった処理済画像Ｗ１０１（図５（ｂ））が第１表示部２３に表示される。このため、撮像装置２のユーザは、被写体像の位置、及びブランク状態の位置や幅等から、画角を変更する方向や、どの程度、画角を変更すればよいのかを認識することができる。
したがって、本実施の形態１に係る撮像装置２によれば、通信機器２Ｂからの操作指示を撮像装置２のユーザに対して適切に認識させ、当該ユーザ自らの意志により撮像装置２の操作を行わせることができる。
【００５３】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２は、上述した実施の形態１で説明した撮像システム１を、撮像装置２としてデジタルカメラを採用し、当該デジタルカメラを利用した撮像システムに適用したものである。
以下、本実施の形態２に係る撮像システム１Ａを構成する撮像装置２Ａ及び通信機器３Ａの構成を順に説明する。
【００５４】
〔撮像装置の概略構成〕
図６は、本発明の実施の形態２に係る撮像装置２Ａのユーザに面する側（前面側）の構成を示す斜視図である。図７は、撮像装置２Ａの構成を示すブロック図である。
本実施の形態２に係る撮像装置２Ａは、図６または図７に示すように、本体部４と、本体部４に着脱可能なレンズ部５とを備える。
【００５５】
〔本体部の構成〕
本体部４は、図７に示すように、上述した実施の形態１で説明した各構成２２〜２５，２８にそれぞれ対応する画像処理部２２Ａ、第１表示部２３Ａ、第１入力部２４Ａ、第１通信部２５Ａ、及び第１制御部２８Ａの他、シャッタ４０と、シャッタ駆動部４１と、撮像素子４２と、撮像素子駆動部４３と、信号処理部４４と、Ａ／Ｄ変換部４５と、ＡＥ処理部４６と、ＡＦ処理部４７と、画像圧縮展開部４８と、表示駆動部４９と、第１タッチパネル５０と、記録媒体５１と、メモリＩ／Ｆ５２と、第１ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）５３と、第２ＳＤＲＡＭ５４と、Ｆｌａｓｈメモリ５５と、本体通信部５６と、バス５７等を備える。
【００５６】
シャッタ４０は、撮像素子４２の状態を露光状態または遮光状態に設定する。
シャッタ駆動部４１は、ステッピングモータ等を用いて構成され、第１制御部２８Ａから入力される指示信号に応じてシャッタ４０を駆動する。
撮像素子４２は、レンズ部５が集光した光を受光して電気信号に変換するＣＣＤ等を用いて構成される。
撮像素子駆動部４３は、第１制御部２８Ａから入力される指示信号に応じて、所定のタイミングで撮像素子４２から画像データ（アナログ信号）を信号処理部４４に出力させる。
この意味で、撮像素子駆動部４３は、電子シャッタとして機能する。
【００５７】
信号処理部４４は、撮像素子４２から入力されるアナログ信号に対して、アナログ処理を施してＡ／Ｄ変換部４５に出力する。
具体的には、信号処理部４４は、アナログ信号に対してノイズ低減処理及びゲインアップ処理等を行う。例えば、信号処理部４４は、アナログ信号に対して、リセットノイズ等を低減した上で波形整形を行い、さらに目的の明るさとなるようにゲインアップを行う。
Ａ／Ｄ変換部４５は、信号処理部４４から入力されるアナログ信号に対してＡ／Ｄ変換を行うことによってデジタルの画像データ（ＲＡＷデータ）を生成し、バス５７を介して第１ＳＤＲＡＭ５３に出力する。
以上説明した撮像素子４２、信号処理部４４、及びＡ／Ｄ変換部４５は、本発明に係る撮像部としての機能を有する。
【００５８】
本実施の形態２に係る画像処理部２２Ａは、第１制御部２８Ａによる制御の下、バス５７を介して第１ＳＤＲＡＭ５３や第２ＳＤＲＡＭ５４から画像データを取得し、取得した画像データに対して各種の画像処理を施す。
この画像処理部２２Ａが行う各種の画像処理は、上述した実施の形態１で説明した操作指示に応じた処理済画像データを生成するための画像処理（以下、指示対応処理と記載）の他、基本画像処理及び特殊画像処理を含む。
基本画像処理は、オプティカルブラック減算処理、ホワイトバランス調整処理、撮像素子がベイヤー配列の場合には画像データの同時化処理、カラーマトリクス減算処理、γ補正処理、色再現処理及びエッジ強調処理等を含む基本の画像処理である。
特殊画像処理は、「ポップアート」、「ファンタジックフォーカス」、「トイフォト」、「ジオラマ」、及び「ラフモノクローム」等の視覚的な効果を生じさせる画像処理である（例えば、特開２０１０−７４２４４号公報、特開２０１０−６２８３６号公報等を参照）。
ここで、画像処理部２２Ａは、第１ＳＤＲＡＭ５３に記憶された画像データ（ＲＡＷデータ）に対して上述した基本画像処理や特殊画像処理を施し、当該処理を施した画像データを第１ＳＤＲＡＭ５３に記憶する。また、画像処理部２２Ａは、第２ＳＤＲＡＭ５４に記憶された画像データ（ＲＡＷデータに対して基本画像処理や特殊画像処理が施された画像データ）に対して指示対応処理を施し、当該指示対応処理を施した処理済画像データを第２ＳＤＲＡＭ５４に記憶する。
【００５９】
ＡＥ処理部４６は、バス５７を介して第１ＳＤＲＡＭ５３に記憶された画像データを取得し、当該取得した画像データに基づいて、静止画撮影または動画撮影を行う際の露出条件を設定する。
具体的には、ＡＥ処理部４６は、画像データから輝度を算出し、算出した輝度に基づいて、例えば、絞り値、露光時間、ＩＳＯ感度等を決定することで撮像装置２Ａの自動露出（Ａｕｔｏ  Ｅｘｐｏｓｕｒｅ）を行う。
ＡＦ処理部４７は、バス５７を介して第１ＳＤＲＡＭ５３に記憶された画像データを取得し、取得した画像データに基づいて、撮像装置２Ａの自動焦点の調整を行う。
例えば、ＡＦ処理部４７は、画像データから高周波成分の信号を取り出し、高周波成分の信号に対してＡＦ（Ａｕｔｏ  Ｆｏｃｕｓ）演算処理を行うことによって、撮像装置２Ａの合焦評価を決定することで撮像装置２Ａの自動焦点の調整を行う。
なお、撮像装置２Ａの自動焦点の調整方法は、撮像素子で位相差信号を取得するものや、専用のＡＦ光学系等を搭載するタイプの方法であっても構わない。
【００６０】
画像圧縮展開部４８は、バス５７を介して第１ＳＤＲＡＭ５３から画像データを取得し、取得した画像データに対して所定の形式に従って圧縮し、この圧縮した画像データを第１ＳＤＲＡＭ５３に出力する。
ここで、静止画の圧縮方式は、ＪＰＥＧ（Ｊｏｉｎｔ  Ｐｈｏｔｏｇｒａｐｈｉｃ  Ｅｘｐｅｒｔｓ  Ｇｒｏｕｐ）方式、ＴＩＦＦ（Ｔａｇｇｅｄ  Ｉｍａｇｅ  Ｆｉｌｅ  Ｆｏｒｍａｔ）方式等である。また、動画の圧縮方式は、ＭｏｔｉｏｎＪＰＥＧ方式、及びＭＰ４（Ｈ．２６４）方式等である。
また、画像圧縮展開部４８は、バス５７及びメモリＩ／Ｆ５２を介して記録媒体５１に記録された画像データ（圧縮画像データ）を取得し、取得した画像データを展開（伸長）して第１ＳＤＲＡＭ５３に出力する。
【００６１】
本実施の形態２に係る第１入力部２４Ａは、ユーザ操作を受け付け、バス５７を介して、当該ユーザ操作に応じた指示信号を第１制御部２８Ａに出力する。
この第１入力部２４Ａは、図６または図７に示すように、撮像装置２Ａの電源状態をオン状態またはオフ状態に切り替える電源スイッチ２４１と、静止画レリーズ信号を出力して静止画撮影の指示を与えるレリーズスイッチ２４２と、撮像装置２Ａのモード（撮影モード（静止画撮影モード及び動画撮影モード）や再生モード等）を切り替えるモード切替スイッチ２４３と、撮像装置２Ａの各種設定を切り替える操作スイッチ２４４と、撮像装置２Ａの各種設定を第１表示部２３Ａに表示させるメニュースイッチ２４５と、記録媒体５１に記録された画像データに対応する画像を第１表示部２３Ａに表示させる再生スイッチ２４６と、動画レリーズ信号を出力して動画撮影の指示を与える動画スイッチ２４７等を備える。
【００６２】
レリーズスイッチ２４２は、外部からの押圧により進退可能であり、半押しされた場合にファーストレリーズ信号を第１制御部２８Ａに出力して撮影準備動作を指示する一方、全押しされた場合にセカンドレリーズ信号を第１制御部２８Ａに出力して静止画撮影を指示する。
操作スイッチ２４４は、メニュー画面等における選択設定を行う上下左右の各方向スイッチ２４４ａ〜２４４ｄと、メニュー画面等における各方向スイッチ２４４ａ〜２４４ｄによる操作を決定する決定スイッチ２４４ｅ（ＯＫスイッチ）とを備える（図６）。なお、操作スイッチ２４４は、ダイヤルスイッチ等を用いて構成してもよい。
【００６３】
表示駆動部４９は、第１制御部２８Ａによる制御の下、バス５７を介して第１ＳＤＲＡＭ５３に記憶された画像データ（ＲＡＷデータに対して基本画像処理や特殊画像処理が施された画像データ）や処理済画像データ、または記録媒体５１に記録された画像データ等を取得し、取得した画像データに対応する画像を第１表示部２３Ａに表示させる。
ここで、画像の表示には、ＲＡＷデータに対して基本画像処理や特殊画像処理が施された画像データに対応するライブビュー画像を表示するライブビュー表示、撮影直後の画像データに対応する画像を所定時間だけ表示するレックビュー表示、記録媒体５１に記録された画像データを再生する再生表示等が含まれる。
また、本実施の形態２に係る第１表示部２３Ａは、撮像装置２Ａの操作情報及び操作に関する情報を適宜表示する。
【００６４】
本実施の形態２に係る第１通信部２５Ａは、第１制御部２８Ａによる制御の下、撮像装置２Ａのユーザにより例えばメニュー画面上で設定された通信先の通信機器（本実施の形態２では後述する通信機器３Ａ（図８参照））との間でライブビュー画像データや通信に必要な信号を含む各種データの無線通信を所定のプロトコルに従って行う。
本実施の形態２において、ライブビュー画像データは、第１ＳＤＲＡＭ５３に記憶されライブビュー表示に用いられる画像データ（ＲＡＷデータに対して基本画像処理や特殊画像処理が施された画像データ）である。
【００６５】
第１タッチパネル５０は、図６に示すように、第１表示部２３Ａの表示画面上に設けられ、外部からの物体のタッチを検出し、検出したタッチ位置に応じた位置信号を出力する。
本実施の形態２の第１タッチパネル５０としては、抵抗膜方式、静電容量方式、光学方式等のいずれの方式のタッチパネルであっても適用可能である。
【００６６】
記録媒体５１は、撮像装置２Ａの外部から装着されるメモリカード等を用いて構成され、メモリＩ／Ｆ５２を介して撮像装置２Ａに着脱自在に装着される。
この記録媒体５１には、その種類に応じた図示しない読み書き装置によって画像処理部２２Ａや画像圧縮展開部４８が処理を施した画像データが書き込まれ、または読み書き装置によって記録媒体５１に記録された画像データが読み出される。また、記録媒体５１は、第１制御部２８Ａによる制御の下、メモリＩ／Ｆ５２及びバス５７を介してプログラム及び各種情報それぞれをＦｌａｓｈメモリ５５に出力してもよい。
【００６７】
第１ＳＤＲＡＭ５３は、揮発性メモリを用いて構成され、バス５７を介してＡ／Ｄ変換部４５から入力される画像データ（ＲＡＷデータ）、画像処理部２２ＡにてＲＡＷデータに対して基本画像処理や特殊画像処理が施された画像データ、及び撮像装置２Ａの処理中の情報を一時的に記憶する。
第２ＳＤＲＡＭ５４は、揮発性メモリを用いて構成され、第１制御部２８Ａによる制御の下、第１ＳＤＲＡＭ５３に記憶された最新のライブビュー画像データがコピー（記憶）されるとともに、画像処理部２２Ａにて当該ライブビュー画像に対して指示対応処理が施された処理済画像データを一時的に記憶する。
なお、第１ＳＤＲＡＭ５３と第２ＳＤＲＡＭ５４は、理論上、分かれていればよく、物理的に分かれていなくても構わない。
Ｆｌａｓｈメモリ５５は、不揮発性メモリを用いて構成される。
このＦｌａｓｈメモリ５５は、撮像装置２Ａを動作させるための各種プログラム（画像表示プログラムを含む）、プログラムの実行中に使用される各種データ、及び画像処理部２２Ａによる画像処理の動作に必要な各種パラメータ等を記録する。
【００６８】
本体通信部５６は、本体部４に装着されたレンズ部５との通信を行うための通信インターフェースである。
バス５７は、撮像装置２Ａの各構成部位を接続する伝送路等を用いて構成され、撮像装置２Ａの内部で発生した各種データを撮像装置２Ａの各構成部位に転送する。
【００６９】
本実施の形態２に係る第１制御部２８Ａは、バス５７を介して、第１入力部２４Ａからの指示信号、または、第１タッチパネル５０からの位置信号に応じて撮像装置２Ａを構成する各部に対応する指示やデータの転送等を行って撮像装置２Ａの動作を統括的に制御する。
例えば、第１制御部２８Ａは、セカンドレリーズ信号を入力した場合に撮像装置２Ａにおける撮影動作を開始する制御を行う。
ここで、撮像装置２Ａにおける撮影動作とは、シャッタ駆動部４１及び撮像素子駆動部４３の駆動によって撮像素子４２が出力した画像データに対し、信号処理部４４及びＡ／Ｄ変換部４５が所定の処理を施すとともに、画像処理部２２Ａが基本画像処理や特殊画像処理を施す動作をいう。このように処理が施された画像データは、第１制御部２８Ａによる制御の下、画像圧縮展開部４８で圧縮され、バス５７及びメモリＩ／Ｆ５２を介して記録媒体５１に記録される。
【００７０】
この第１制御部２８Ａは、図７に示すように、上述した実施の形態１で説明した第１制御部２８と同様の操作指示認識部２８３、並びに、当該第１制御部２８の各構成２８１，２８２にそれぞれ対応する第１通信制御部２８１Ａ及び第１表示制御部２８２Ａの他、操作判定部２８４を備える。
本実施の形態２に係る第１通信制御部２８１Ａは、撮像装置２Ａのユーザにより例えばメニュー画面上で撮像装置２Ａが通信モード（外部の通信機器との間で通信を行うモード）に設定されている場合に、第１通信部２５Ａの動作を制御し、通信機器３Ａとの間で無線通信を行わせる。
本実施の形態２に係る第１表示制御部２８２Ａは、詳細については後述するが、上述した実施の形態１で説明した第１表示制御部２８２に対して、第１表示部２３Ａに表示させる画像の表示態様を異なるものとしている。
操作判定部２８４は、第１通信部２５Ａが通信機器３Ａから操作指示情報を受信した後、撮像装置２Ａのユーザが撮像装置２Ａに対して操作指示認識部２８３にて認識された操作指示に応じた操作を行いつつあるか否かを判定する。
【００７１】
以上の構成を有する本体部４に対して、音声入出力機能、フラッシュ機能、及び着脱自在な電子ビューファインダ（ＥＶＦ）等を具備させてもよい。
【００７２】
〔レンズ部の構成〕
レンズ部５は、図７に示すように、光学系５８と、ズームレンズ駆動部５９と、ズームレンズ位置検出部６０と、フォーカスレンズ駆動部６１と、フォーカスレンズ位置検出部６２と、絞り６３と、絞り駆動部６４と、絞り値検出部６５と、レンズ操作部６６と、レンズ記録部６７と、レンズ通信部６８と、レンズ制御部６９とを備える。
【００７３】
光学系５８は、所定の視野領域から光を集光し、この集光した光を撮像素子４２の撮像面に結像する。この光学系５８は、図７に示すように、ズームレンズ５８１と、フォーカスレンズ５８２とを備える。
ズームレンズ５８１は、一または複数のレンズを用いて構成され、光軸Ｌ（図７）に沿って移動することにより、光学系５８のズーム倍率を変更する。
フォーカスレンズ５８２は、一または複数のレンズを用いて構成され、光軸Ｌに沿って移動することにより、光学系５８のピント位置及び焦点距離を変更する。
【００７４】
ズームレンズ駆動部５９は、ステッピングモータやＤＣモータ等を用いて構成され、レンズ制御部６９による制御の下、ズームレンズ５８１を光軸Ｌに沿って移動させる。
ズームレンズ位置検出部６０は、フォトインタラプタ等を用いて構成され、ズームレンズ駆動部５９にて駆動されたズームレンズ５８１の位置を検出する。
具体的には、ズームレンズ位置検出部６０は、ズームレンズ駆動部５９に含まれる駆動用モータの回転量をパルス数に変換し、変換したパルス数に基づいて、予め定められた特定の基準位置からのズームレンズ５８１の光軸Ｌ上における位置を検出する。
【００７５】
フォーカスレンズ駆動部６１は、ステッピングモータやＤＣモータ等を用いて構成され、レンズ制御部６９による制御の下、フォーカスレンズ５８２を光軸Ｌに沿って移動させる。
フォーカスレンズ位置検出部６２は、フォトインタラプタ等を用いて構成され、ズームレンズ位置検出部６０と同様の方法により、フォーカスレンズ駆動部６１にて駆動されたフォーカスレンズ５８２の光軸Ｌ上における位置を検出する。
【００７６】
絞り６３は、光学系５８が集光した光の入射量を制限することで露出の調整を行う。
絞り駆動部６４は、ステッピングモータ等を用いて構成され、レンズ制御部６９による制御の下、絞り６３を駆動することで撮像素子４２に入射する光の光量を調整する。
絞り値検出部６５は、絞り駆動部６４にて駆動された絞り６３の状態を検出することで絞り６３の絞り値を検出する。この絞り値検出部６５は、リニアエンコーダや可変抵抗素子等のポテンションメータ及びＡ／Ｄ変換回路等を用いて構成される。
【００７７】
レンズ操作部６６は、図７に示すように、レンズ部５のレンズ鏡筒の周囲に設けられる操作リング等であり、光学系５８内のズームレンズ５８１やフォーカスレンズ５８２の動作または撮像装置２Ａの動作を指示するユーザ操作を受け付ける。なお、レンズ操作部６６は、プッシュ式のスイッチ等であってもよい。
レンズ記録部６７は、光学系５８及び絞り６３の位置や動きを決定するための制御用プログラム、光学系５８の倍率、焦点距離、画角、収差、及びＦ値（明るさ）等を記録する。
レンズ通信部６８は、レンズ部５が本体部４に装着されたときに、本体部４の本体通信部５６と通信を行うための通信インターフェースである。
【００７８】
レンズ制御部６９は、ＣＰＵ等を用いて構成され、本体通信部５６及びレンズ通信部６８を介して入力される第１制御部２８Ａからの指示信号や駆動信号に応じてレンズ部５の動作を制御する。
また、レンズ制御部６９は、本体通信部５６及びレンズ通信部６８を介してズームレンズ位置検出部６０が検出したズームレンズ５８１の位置、フォーカスレンズ位置検出部６２が検出したフォーカスレンズ５８２の位置、及び絞り値検出部６５が検出した絞り６３の絞り値を第１制御部２８Ａに出力する。
【００７９】
〔通信機器の構成〕
図８は、本発明の実施の形態２に係る通信機器３Ａの構成を示すブロック図である。
本実施の形態２に係る通信機器３Ａは、図８に示すように、上述した実施の形態１で説明した通信機器３と同様の第２表示部３１、第２タッチパネル３２、第２入力部３３、第２メモリ部３５、及び第２記録部３６、並びに、当該通信機器３の各構成３４，３７にそれぞれ対応する第２通信部３４Ａ及び第２制御部３７Ａの他、第３メモリ部３８を備える。
本実施の形態２に係る第２通信部３４Ａは、第２制御部３７Ａによる制御の下、通信機器３Ａのユーザによる第２入力部３３の操作により設定された通信先の撮像装置（本実施の形態２では撮像装置２Ａ）との間でライブビュー画像データや通信に必要な信号を含む各種データの無線通信を所定のプロトコルに従って行う。
【００８０】
本実施の形態２に係る第２制御部３７Ａは、図８に示すように、上述した実施の形態１で説明した第２制御部３７と同様の操作指示情報生成部３７３、並びに、当該第２制御部３７の各構成３７１，３７２にそれぞれ対応する第２通信制御部３７１Ａ及び第２表示制御部３７２Ａを備える。
本実施の形態２に係る第２通信制御部３７１Ａは、通信機器３Ａのユーザによる第２入力部３３への操作により通信機器３Ａが通信モード（外部の撮像装置との間で通信を行うモード）に設定されている場合に、第２通信部３４Ａの動作を制御し、撮像装置２Ａとの間で無線通信を行わせる。
本実施の形態２に係る第２表示制御部３７２Ａは、詳細については後述するが、上述した実施の形態１で説明した第２表示制御部３７２に対して、第２表示部３１に表示させる画像の表示態様を異なるものとしている。
第３メモリ部３８は、第２制御部３７Ａによる制御の下、第２メモリ部３５に記憶された最新のライブビュー画像データ（第２通信部３４Ａが受信した最新のライブビュー画像データ）がコピー（記憶）される。
【００８１】
〔撮像システムの動作〕
次に、本実施の形態２に係る撮像システム１Ａの動作について説明する。
以下では、撮像システム１Ａの動作として、撮像装置２Ａの動作（本発明に係る画像表示方法）、及び通信機器３Ａの動作を順に説明する。
【００８２】
〔撮像装置の動作〕
図９は、本実施の形態２に係る撮像装置２Ａの動作を示すフローチャートである。
撮像装置２Ａのユーザによる電源スイッチ２４１の操作によって撮像装置２Ａの電源がオンになる（ステップＳ３０１：Ｙｅｓ）と、第１制御部２８Ａは、撮像装置２Ａのユーザによるモード切替スイッチ２４３の操作によって撮像装置２Ａが撮影モードに設定されているか否かを判断する（ステップＳ３０２）。
【００８３】
撮像装置２Ａが撮影モードに設定されていると判断した場合（ステップＳ３０２：Ｙｅｓ）には、第１制御部２８Ａは、撮像素子４２による撮像を開始する（ステップＳ３０３：撮像ステップ）。
具体的に、第１制御部２８Ａは、撮像素子駆動部４３を駆動することによって、電子シャッタによる撮影を行う。また、画像処理部２２Ａは、電子シャッタによる撮影によって撮像素子４２が生成し、第１ＳＤＲＡＭ５３に記憶された画像データに対して基本画像処理や特殊画像処理を施す。
【００８４】
続いて、第１制御部２８Ａは、撮像装置２Ａのユーザによる第１入力部２４Ａや第１タッチパネル５０への操作によって撮像装置２Ａが通信モードに設定されているか否かを判断する（ステップＳ３０４）。
撮像装置２Ａが通信モードに設定されていないと判断された場合（ステップＳ３０４：Ｎｏ）には、第１表示制御部２８２Ａは、第１表示部２３Ａにライブビュー表示を開始させる（ステップＳ３０５：表示ステップ）。
具体的に、第１表示制御部２８２Ａは、画像処理部２２Ａにて基本画像処理や特殊画像処理が施され、第１ＳＤＲＡＭ５３に記憶された最新のライブビュー画像データに対応するライブビュー画像を順次、第１表示部２３Ａに表示させる。
【００８５】
一方、撮像装置２Ａが通信モードに設定されていると判断した場合（ステップＳ３０４：Ｙｅｓ）には、第１制御部２８Ａは、通信機器３Ａと通信を行う通信・表示制御（ステップＳ３０６）を実行する。
なお、通信・表示制御（ステップＳ３０６）の詳細については、後述する。
【００８６】
第１制御部２８Ａは、第１表示部２３Ａにライブビュー表示を開始させた（ステップＳ３０５）後、または通信・表示制御（ステップＳ３０６）の後、レリーズスイッチ２４２からセカンドレリーズ信号が入力されたか否かを判断する（ステップＳ３０７）。
そして、第１制御部２８Ａは、セカンドレリーズ信号が入力されたと判断した場合（ステップＳ３０７：Ｙｅｓ）には、静止画撮影を行い（ステップＳ３０８）、ステップＳ３０１に戻る。
具体的に、ステップＳ３０８において、第１制御部２８Ａは、シャッタ駆動部４１及び撮像素子駆動部４３を駆動することによって、メカシャッタによる撮影を行う。また、画像処理部２２Ａは、メカシャッタによる撮影によって撮像素子４２が生成し、第１ＳＤＲＡＭ５３に記憶された画像データ（ＲＡＷデータ）に対して基本画像処理や特殊画像処理を施す。そして、画像圧縮展開部４８は、画像処理部２２Ａにて基本画像処理や特殊画像処理が施され、第１ＳＤＲＡＭ５３に記憶された画像データを圧縮し、圧縮した画像データを記録媒体５１に記録する。
【００８７】
一方、第１制御部２８Ａは、セカンドレリーズ信号が入力されていないと判断した場合（ステップＳ３０７：Ｎｏ）には、動画スイッチ２４７から動画レリーズ信号が入力されたか否かを判断する（ステップＳ３０９）。
そして、第１制御部２８Ａは、動画レリーズ信号が入力されたと判断した場合（ステップＳ３０９：Ｙｅｓ）には、動画撮影を行い（ステップＳ３１０）、ステップＳ３０１に戻る。
具体的に、ステップＳ３１０において、第１制御部２８Ａは、撮像素子駆動部４３を駆動することによって、電子シャッタによる撮影を行う。また、画像処理部２２Ａは、電子シャッタによる撮影によって撮像素子４２が生成し、第１ＳＤＲＡＭ５３に記憶された画像データ（ＲＡＷデータ）に対して基本画像処理や特殊画像処理を施す。そして、画像圧縮展開部４８は、画像処理部２２Ａにて基本画像処理や特殊画像処理が施され、第１ＳＤＲＡＭ５３に記憶された画像データを圧縮し、圧縮した画像データを記録媒体５１に作成された動画ファイルに動画として記録する。
また、第１制御部２８Ａは、動画レリーズ信号が入力されていないと判断した場合（ステップＳ３０９：Ｎｏ）には、ステップＳ３０１に戻る。
【００８８】
ステップＳ３０２に戻って、第１制御部２８Ａは、撮像装置２Ａが撮影モードに設定されていないと判断した場合（ステップＳ３０２：Ｎｏ）には、撮像装置２Ａのユーザによるモード切替スイッチ２４３の操作によって撮像装置２Ａが再生モードに設定されているか否かを判断する（ステップＳ３１１）。
撮像装置２Ａが再生モードに設定されていないと判断された場合（ステップＳ３１１：Ｎｏ）には、撮像装置２Ａは、ステップＳ３０１に戻る。
一方、撮像装置２Ａが再生モードに設定されていると判断された場合（ステップＳ３１１：Ｙｅｓ）には、第１表示制御部２８２Ａは、記録媒体５１に記録された画像データに対応する画像を第１表示部２３Ａに表示させる（ステップＳ３１２）。
【００８９】
続いて、第１表示制御部２８２Ａは、撮像装置２Ａのユーザによる第１入力部２４Ａや第１タッチパネル５０への操作により、画像の変更を指示する指示信号が入力されたか否かを判断する（ステップＳ３１３）。
第１表示制御部２８２Ａは、画像の変更を指示する指示信号が入力されたと判断した場合（ステップＳ３１３：Ｙｅｓ）には、第１表示部２３Ａに表示させる画像を変更する（ステップＳ３１４）。ステップＳ３１４の後、撮像装置２Ａは、ステップＳ３１２に戻る。
一方、画像の変更を指示する指示信号が入力されていないと判断された場合（ステップＳ３１３：Ｎｏ）には、撮像装置２Ａは、ステップＳ３０１に戻る。
【００９０】
〔通信・表示制御〕
図１０は、通信・表示制御（ステップＳ３０６）の概要を示すフローチャートである。
次に、図９に示した通信・表示制御（ステップＳ３０６）を図１０に基づいて説明する。
撮像装置２Ａが通信モードに設定されていると判断された場合（ステップＳ３０４：Ｙｅｓ）には、第１通信制御部２８１Ａは、第１通信部２５Ａを介して、第１ＳＤＲＡＭ５３に記憶された最新のライブビュー画像データ（ステップＳ３０４にて第１表示部２３Ａに表示されているライブビュー画像と同一の画像データ）を順次、通信機器３Ａに送信させる（ステップＳ３０６Ａ）。
【００９１】
続いて、第１通信制御部２８１Ａは、上述した実施の形態１で説明したステップＳ１０５と同様に、操作指示情報を受信したか否かを判断する（ステップＳ３０６Ｂ）。
操作指示情報を受信したと判断された場合（ステップＳ３０６Ｂ：Ｙｅｓ）には、第１制御部２８Ａは、第１ＳＤＲＡＭ５３に記憶された最新のライブビュー画像データ（現在、第１表示部２３Ａに表示されているライブビュー画像に対応する画像データ）を第２ＳＤＲＡＭ５４にコピーする（ステップＳ３０６Ｃ）。
また、操作指示認識部２８３は、上述した実施の形態１で説明したステップＳ１０６と同様に、当該操作指示情報に基づく操作指示を認識する（ステップＳ３０６Ｄ）。そして、操作指示認識部２８３は、指示対応処理を実行させるべく、指示信号を画像処理部２２Ａに出力する。
なお、図１０では、説明の便宜上、ステップＳ３０６ＤがステップＳ３０６Ｃの後に実行される順序で図示しているが、実際にはステップＳ３０６Ｃ，３０６Ｄは略同時に実行されるものである。
【００９２】
続いて、画像処理部２２Ａは、操作指示認識部２８３からの指示信号に応じて、第２ＳＤＲＡＭ５４に記憶されたライブビュー画像データに対して画像処理を施し、上述した実施の形態１で説明したステップＳ１０７と同様に、処理済画像データを生成する（ステップＳ３０６Ｅ：画像処理ステップ）。そして、画像処理部２２Ａにて画像処理が施された処理済画像データは、第２ＳＤＲＡＭ５４に記憶される。
続いて、第１表示制御部２８２Ａは、第１表示部２３Ａの表示状態を、第１ＳＤＲＡＭ５３に記憶された最新のライブビュー画像データに対応するライブビュー画像と、第２ＳＤＲＡＭ５４に記憶された処理済画像データに対応する処理済画像とを時間的に交互に表示する交互表示に切り替える（ステップＳ３０６Ｆ：表示変更ステップ）。
【００９３】
図１１は、ステップＳ３０６Ｆで撮像装置２Ａに表示される画像の一例を示す図である。
具体的に、図１１は、上述した実施の形態１で説明した図４及び図５に対応した図である。図１１（ａ）は、図５（ａ）に対応し、第１ＳＤＲＡＭ５３に記憶された最新のライブビュー画像データに対応するライブビュー画像Ｗ１００を示している。図１１（ｂ）は、図５（ｂ）に対応し、第２ＳＤＲＡＭ５４に記憶された処理済画像データに対応する処理済画像Ｗ１０１を示している。
例えば、上述した実施の形態１で説明したような画角変更指示（図５（ｄ）参照）を撮像装置２Ａが受信した場合には、撮像装置２Ａは、ステップＳ３０６Ｆにおいて、図１１に示すように、最新のライブビュー画像Ｗ１００と処理済画像Ｗ１０１とを時間的に交互に表示する。
【００９４】
ステップＳ３０６Ｂに戻って、操作指示情報を受信していないと判断された場合（ステップＳ３０６Ｂ：Ｎｏ）には、第１制御部２８Ａは、最新のライブビュー画像と処理済画像との交互表示中（ステップＳ３０６Ｆ）であるか否かを判断する（ステップＳ３０６Ｇ）。
交互表示中であると判断した場合（ステップＳ３０６Ｇ：Ｙｅｓ）には、第１制御部２８Ａは、ステップＳ３０６Ｆに移行し、最新のライブビュー画像と処理済画像との交互表示を継続する。
一方、交互表示中ではないと判断した場合（ステップＳ３０６Ｇ：Ｎｏ）には、第１制御部２８Ａは、ステップＳ３０６Ｌに移行し、上述したステップＳ３０５と同様に、第１表示部２３Ａにライブビュー表示を開始させる（ステップＳ３０６Ｌ：表示ステップ）。この後、撮像装置２Ａは、図９に示したメインルーチンに戻る。
【００９５】
ステップＳ３０６Ｆの後、操作判定部２８４は、撮像装置２Ａのユーザによる撮像装置２Ａへの操作（ユーザ操作）があったか否かを判断する（ステップＳ３０６Ｈ）。
ここで、当該ユーザ操作は、第１入力部２４Ａや第１タッチパネル５０への操作や、撮像装置２Ａ自体を移動させる操作や画角を変更する操作等を含む。
そして、操作判定部２８４は、第１入力部２４Ａや第１タッチパネル５０への操作については、第１入力部２４Ａからの指示信号や第１タッチパネル５０からの位置信号に基づいて判断する。また、操作判定部２８４は、撮像装置２Ａ自体を移動させる操作については、ステップＳ３０６Ｃにて第２ＳＤＲＡＭ５４に記憶（コピー）したライブビュー画像データと第１ＳＤＲＡＭ５３に記憶された最新のライブビュー画像データとを比較し（時系列的に前後の各ライブビュー画像データを比較し）、当該各ライブビュー画像データに含まれる各被写体像の位置の変化を認識することで判断する。
なお、撮像装置２Ａの動きを検出する加速度センサ等を別途、撮像装置２Ａに設け、加速度センサからの検出信号に基づいて、撮像装置２Ａ自体を移動させる操作があったか否かを判断するように構成しても構わない。
【００９６】
当該ユーザ操作があったと判断した場合（ステップＳ３０６Ｈ：Ｙｅｓ）には、操作判定部２８４は、第１通信部２５Ａが受信した操作指示情報に基づく操作指示と当該ユーザ操作とを比較（当該ユーザ操作を判定）する（ステップＳ３０６Ｉ）。
そして、第１制御部２８Ａは、当該ユーザ操作が操作指示に従っていると判定された場合（ステップＳ３０６Ｊ：Ｙｅｓ）には、ステップＳ３０６Ｆにて開始させた最新のライブビュー画像と処理済画像との交互表示を終了し（ステップＳ３０６Ｋ）、ステップＳ３０６Ｌに移行して、第１表示部２３Ａにライブビュー表示を行わせる。
【００９７】
図１２は、ユーザ操作が操作指示に従っていると判定された（ステップＳ３０６Ｊ：Ｙｅｓ）後、ステップＳ３０６Ｌに至るまでに撮像装置２Ａに表示される画像の一例を示す図である。
具体的に、図１２は、図１１に対応した図である。図１２（ａ）及び図１２（ｂ）は、図１１（ａ）及び図１１（ｂ）にそれぞれ対応し、ステップＳ３０６Ｆでの最新のライブビュー画像Ｗ１００と処理済画像Ｗ１０１との交互表示を示している。図１２（ｃ）及び図１２（ｄ）は、ユーザ操作が操作指示に従っていると判定された（ステップＳ３０６Ｊ：Ｙｅｓ）場合に、処理済画像Ｗ１０１に代えて、ライブビュー画像Ｗ１００とともに順次、交互表示される画像Ｗ１０２，Ｗ１０３をそれぞれ示している。図１２（ｅ）は、ステップＳ３０６Ｋで当該交互表示を終了した後、撮像装置２Ａに表示されるライブビュー画像Ｗ１０４を示している。
ユーザ操作が操作指示（画角を右側に変更させる画角変更指示（図５（ｄ）参照））に従っていると判定された場合（ステップＳ３０６Ｊ：Ｙｅｓ）、すなわち、撮像装置２Ａのユーザが撮像装置２Ａの向きを右側に移動させる操作を行った場合には、画像処理部２２Ａは、以下に示すような画像処理を行う。
【００９８】
画像処理部２２Ａは、第１ＳＤＲＡＭ５３に記憶された最新のライブビュー画像データに基づいて、第２ＳＤＲＡＭ５４に記憶された処理済画像データに対して、当該処理済画像データに対応する処理済画像におけるブランク状態とした空白領域を徐々に狭める画像処理を行う。画像処理部２２Ａにて当該画像処理が施された各画像データ（画像Ｗ１０２，Ｗ１０３）は、順次、第２ＳＤＲＡＭ５４に記憶される。
そして、第１表示制御部２８２Ａは、第２ＳＤＲＡＭ５４に記憶された上記各画像データに対応する画像Ｗ１０２，Ｗ１０３を順次、処理済画像Ｗ１０１に代えて、ライブビュー画像Ｗ１００とともに第１表示部２３Ａに交互表示させる。この後、第１表示制御部２８２Ａは、第１ＳＤＲＡＭ５３に記憶された最新のライブビュー画像データに対応するライブビュー画像Ｗ１０４と処理済画像Ｗ１０１とを比較し、被写体の位置が合致していると判定した場合に交互表示を終了し（ステップＳ３０６Ｋ）、当該ライブビュー画像Ｗ１０４を第１表示部２３Ａに表示させる（ステップＳ３０６Ｌ）。
【００９９】
以上のように、本実施の形態１では、図１２（ｅ）のような構図（目標構図）になるように催促する感じで、図１２（ａ）に示したライブビュー画像Ｗ１０１と、図１２（ｂ）の目標に似た処理済画像Ｗ１０１とを繰り返し交互表示する。ユーザ操作もモニタして、操作指示に応じたユーザ操作が行われつつある場合、その目標構図に近付いていくと、そのことを知らせるようにしている。すなわち、差異が少なくなっていく様子を表すために、交互に表示する画像を図１２（ｂ）から図１２（ｃ），図１２（ｄ）と変更していく。望みの構図になれば、交互表示を終了する。このようにして目標を分かり易くしている。交互表示の様子を切り替えることで、操作指示に応じているか否かをその途中でも確認することができ、誤りを直ぐに訂正することが可能となる。ユーザ操作の途中で、それが操作指示に従っているか否かを認知させるには、間違った時には交互表示のスピードを速める等、他の表示形態をとったり、警告音を出す音声等と組み合わせてもよい。正しいユーザ操作の場合には、それを促進する表示を出してもよい。
【０１００】
ステップＳ３０６Ｈに戻って、ユーザ操作がないと判断された場合（ステップＳ３０６Ｈ：Ｎｏ）には、第１表示制御部２８２Ａは、ステップＳ３０６Ｆにて最新のライブビュー画像と処理済画像との交互表示を開始してから一定期間が経過したか否かを判断する（ステップＳ３０６Ｍ）。
一定期間が経過していないと判断された場合（ステップＳ３０６Ｍ：Ｎｏ）には、撮像装置２Ａは、図９に示したメインルーチンに戻る。
一方、一定期間が経過したと判断した場合（ステップＳ３０６Ｍ：Ｙｅｓ）には、第１表示制御部２８２Ａは、ステップＳ３０６Ｋ，Ｓ３０６Ｌに移行し、ステップＳ３０６Ｆにて開始させた最新のライブビュー画像と処理済画像との交互表示を終了するとともに、第１表示部２３Ａにライブビュー表示を行わせる。
【０１０１】
ステップＳ３０６Ｊに戻って、ユーザ操作が操作指示に従っていないと判断された場合（ステップＳ３０６Ｊ：Ｎｏ）には、第１通信制御部２８１Ａは、第１通信部２５Ａを介して、操作判定部２８４の判定結果（ユーザ操作が操作指示に従っていない判定結果）に関する判定結果情報を通信機器３Ａに送信させる（ステップＳ３０６Ｎ）。この後、撮像装置２Ａは、ステップＳ３０６Ｍに移行し、一定期間、ステップＳ３０６Ｆにて開始した最新のライブビュー画像と処理済画像との交互表示を継続することで操作指示に従うことを促す。
【０１０２】
〔通信機器の動作〕
図１３は、本実施の形態２に係る通信機器３Ａの動作を示すフローチャートである。
通信機器３Ａのユーザによる第２入力部３３への操作によって通信機器３Ａの電源がオンになる（ステップＳ４０１：Ｙｅｓ）と、第２制御部３７Ａは、通信機器３Ａのユーザによる第２入力部３３や第２タッチパネル３２への操作によって通信機器３Ａが通信モードに設定されているか否かを判断する（ステップＳ４０２）。
通信モードに設定されていないと判断された場合（ステップＳ４０２：Ｎｏ）には、通信機器３Ａは、ステップＳ４０１に戻る。
【０１０３】
一方、通信モードに設定されていると判断された場合（ステップＳ４０２：Ｙｅｓ）には、第２通信制御部３７１Ａは、上述した実施の形態１で説明したステップＳ２０２と同様に、ライブビュー画像データを受信したか否かを判断する（ステップＳ４０３）。
ライブビュー画像データを受信していないと判断された場合（ステップＳ４０３：Ｎｏ）には、通信機器３Ａは、ステップＳ４０１に戻る。
【０１０４】
一方、ライブビュー画像データを受信したと判断された場合（ステップＳ４０３：Ｙｅｓ）には、第２制御部３７Ａは、受信したライブビュー画像データを順次、第２メモリ部３５に記憶させる。そして、第２制御部３７Ａは、後述するステップＳ４１１での交互表示中であるか否かを判断する（ステップＳ４０４）。
交互表示中であると判断された場合（ステップＳ４０４：Ｙｅｓ）には、通信機器３Ａは、ステップＳ４１１に移行し、当該交互表示を継続する。
【０１０５】
一方、交互表示中ではないと判断された場合（ステップＳ４０４：Ｎｏ）には、第２表示制御部３７２Ａは、上述した実施の形態１で説明したステップＳ２０３と同様に、第２表示部３１にライブビュー表示を開始させる（ステップＳ４０５）。
続いて、操作指示情報生成部３７３は、上述した実施の形態１で説明したステップＳ２０４と同様に、撮像装置２Ａのユーザへの撮像装置２Ａの操作指示があったか否かを判断する（ステップＳ４０６）。
操作指示があったと判断された場合（ステップＳ４０６：Ｙｅｓ）には、第２制御部３７Ａは、第２メモリ部３５に記憶された最新のライブビュー画像データ（現在、第２表示部３１に表示されているライブビュー画像に対応する画像データ）を第３メモリ部３８にコピーする（ステップＳ４０７）。
また、第２制御部３７Ａは、上述した実施の形態１で説明したステップＳ２０５，Ｓ２０６と同様に、操作指示に関する操作指示情報の生成（ステップＳ４０８）及び送信（ステップＳ４０９）を実行する。この後、通信機器３Ａは、ステップＳ４０３に戻る。
【０１０６】
ステップＳ４０６に戻って、操作指示がないと判断された場合（ステップＳ４０６：Ｎｏ）には、第２通信制御部３７１Ａは、撮像装置２Ａから第２通信部３４を介して判定結果情報を受信したか否かを判断する（ステップＳ４１０）。
判定結果情報を受信していないと判断された場合（ステップＳ４１０：Ｎｏ）には、通信機器３Ａは、ステップＳ４０３に戻る。
【０１０７】
一方、判定結果情報を受信したと判断された場合（ステップＳ４１０：Ｙｅｓ）には、第２表示制御部３７２Ａは、第２表示部３１の表示状態を、第２メモリ部３５に記憶された最新のライブビュー画像データに対応するライブビュー画像と、第３メモリ部３８にコピーされたライブビュー画像データに対応するライブビュー画像とを時間的に交互に表示する交互表示に切り替える（ステップＳ４１１）。
【０１０８】
図１４は、ステップＳ４１１で通信機器３Ａに表示される画像の一例を示す図である。
具体的に、図１４は、上述した実施の形態１で説明した図４及び図５に対応した図である。図１４（ａ）は、図５（ｃ）及び図５（ｄ）に対応し、操作指示の時点（ステップＳ４０６：Ｙｅｓ）で第３メモリ部３８にコピーされたライブビュー画像データに対応するライブビュー画像Ｗ２００を示している。図１４（ｂ）は、第２メモリ部３５に記憶された最新のライブビュー画像データに対応するライブビュー画像Ｗ２０１を示している。また、図１４では、上述した実施の形態１で説明したような画角変更指示（撮像装置２Ａの向きを右側に変更させる操作指示（図５（ｄ）参照））に対して、撮像装置２Ａのユーザがこれに従わず、撮像装置２Ａの向きを左側に変更させた場合を示している。
例えば、上述した実施の形態１で説明したような画角変更指示に対して、撮像装置２Ａのユーザがこれに従わない操作を行った場合（通信機器３Ａが判定結果情報を受信した場合（ステップＳ４１０：Ｙｅｓ）には、通信機器３Ａは、ステップＳ４１１において、図１４に示すように、通信機器３Ａのユーザによる操作指示があった時点のライブビュー画像Ｗ２００と、最新のライブビュー画像Ｗ２０１（撮像装置２Ａの向きを左側に変更させた状態のライブビュー画像）とを交互に表示する。
【０１０９】
ステップＳ４１１の後、第２表示制御部３７２Ａは、ステップＳ４１１にて交互表示を開始してから一定期間が経過したか否かを判断する（ステップＳ４１２）。
一定期間が経過していないと判断された場合（ステップＳ４１２：Ｎｏ）には、通信機器３Ａは、ステップＳ４０３に戻る。
一方、一定期間が経過したと判断した場合（ステップＳ４１２：Ｙｅｓ）には、第２表示制御部３７２Ａは、ステップＳ４１１にて開始させた交互表示を終了させる（ステップＳ４１３）。この後、通信機器３Ａは、ステップＳ４０３に戻る。
【０１１０】
以上説明した実施の形態２によれば、上述した実施の形態１と同様の効果の他、以下の効果がある。
本実施の形態２に係る撮像装置２Ａは、通信機器２Ａから操作指示情報を受信した場合には、生成した処理済画像データと最新のライブビュー画像とを交互に表示する表示態様で第１表示部２３Ａに表示する。
このため、撮像装置２Ａのユーザは、第１表示部２３Ａに表示される処理済画像と最新のライブビュー画像とを交互に確認することで、撮像装置２Ａにどのような操作をどの程度、行えば、操作指示に応じた画像が得られるかを適切に認識することができる。
特に、交互表示される最新のライブビュー画像は、撮像装置２Ａの向きを変更すれば、当該向きに応じて撮像された画像に順次、切り替わる。このため、例えば、操作指示が画角変更指示の場合には、撮像装置２Ａのユーザは、図１１に示すように交互表示される最新のライブビュー画像Ｗ１００と処理済画像Ｗ１０１とを比較しながら、処理済画像Ｗ１０１と最新のライブビュー画像Ｗ１００とが略同一の画像となるまで撮像装置２Ａの向きを変更すれば、操作指示に応じた操作を行うことができる。
【０１１１】
また、本実施の形態２では、撮像装置２Ａは、第１通信部２５Ａが受信した操作指示情報に基づく操作指示に応じた操作が行われつつあるか否かを判定する操作判定部２８４を備える。そして、撮像装置２Ａは、操作判定部２８４にて操作指示に応じた操作が行われていないと判定された場合（ステップＳ３０６Ｊ：Ｎｏ）には、当該判定結果に関する判定結果情報を通信機器３Ａに送信する（ステップＳ３０６Ｎ）。一方、通信機器３Ａは、判定結果情報を受信した場合（ステップＳ４１０：Ｙｅｓ）には、通信機器３Ａのユーザにより操作指示が行われた際のライブビュー画像と、最新のライブビュー画像とを交互に表示する（ステップＳ４１１）。
このため、通信機器３Ａのユーザは、通信機器３Ａの表示態様（交互表示）を確認することにより、撮像装置２Ａのユーザが操作指示に従わなかったことを認識することができる。
【０１１２】
また、本実施の形態２では、撮像装置２Ａは、操作指示が画角変更指示である場合であって、操作判定部２８４にて画角変更指示に応じた操作が行われたと判定された場合（ステップＳ３０６Ｊ：Ｙｅｓ）には、最新のライブビュー画像データに基づいて、処理済画像Ｗ１０１におけるブランク状態とした空白領域を徐々に狭める画像処理を行い、当該画像処理を行った各画像データに対応する画像Ｗ１０２，Ｗ１０３（図１２（ｃ），図１２（ｄ））を順次、処理済画像Ｗ１０１（図１２（ｂ））に代えて、最新のライブビュー画像とともに交互表示する。
このため、撮像装置２Ａのユーザは、撮像装置２Ａの表示態様（交互表示される画像Ｗ１０１〜Ｗ１０３のブランク状態が徐々に狭まる表示態様）を確認することにより、現在行っている操作が画角変更指示に従った操作であることを認識することができる。
【０１１３】
（実施の形態２の変形例）
上述した実施の形態２では、本体部４とレンズ部５とが別体で構成されていたが、これに限られず、本体部４とレンズ部５とを一体的に形成しても構わない。
【０１１４】
また、上述した実施の形態２では、撮像装置２Ａは、撮像装置２Ａのユーザが操作指示に従わなかった場合に、判定結果情報を通信機器３Ａに送信していたが、これに限らず、撮像装置２Ａのユーザが操作指示に従った場合、及び従わなかった場合の双方の場合に、従った場合、及び従わなかった場合を識別可能な判定結果情報を通信機器３Ａに送信するように構成しても構わない。
【０１１５】
また、上述した実施の形態２では、通信機器３Ａは、撮像装置２Ａから判定結果情報を受信した場合に、通信機器３Ａのユーザにより操作指示が行われた際のライブビュー画像と、最新のライブビュー画像とを交互に表示していたが、これに限られない。
例えば、当該交互表示の代わりに、撮像装置２Ａのユーザが操作指示に従わなかった旨のメッセージを表示するように構成しても構わない。
なお、上述したように、操作指示に従わなかった場合の他、従った場合でも判定結果情報を撮像装置２Ａが送信する場合であって、従ったことを示す判定結果情報を通信機器３Ａが受信した場合には、操作指示に従った旨のメッセージを通信機器３Ａが表示するように構成しても構わない。
また、例えば、通信機器３Ａのユーザにより操作指示が行われた際のライブビュー画像と、最新のライブビュー画像とを合成した合成画像を表示したり、通信機器３Ａのユーザにより操作指示が行われた際のライブビュー画像と、最新のライブビュー画像とを並べて表示したりしても構わない。
【０１１６】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る撮像システムは、上述した実施の形態１で説明した撮像システム１に対して、処理済画像データを生成する機能を撮像装置ではなく通信機器に持たせている。すなわち、本実施の形態３に係る撮像システムは、通信機器で生成した処理済画像データを撮像装置に送信し、当該処理済画像データに対応する処理済画像を撮像装置に表示させるように構成している。
【０１１７】
〔撮像システムの構成〕
図１５は、本発明の実施の形態３に係る撮像システム１Ｂの構成を示すブロック図である。
撮像システム１Ｂを構成する撮像装置２Ｂは、図１５に示すように、上述した実施の形態１で説明した撮像装置２（図１）に対して、画像処理部２２が省略されている。また、上述した実施の形態１で説明した第１制御部２８に対応する第１制御部２８Ｂは、当該第１制御部２８に対して、操作指示認識部２８３が省略されている。
また、撮像システム１Ｂを構成する通信機器３Ｂは、図１５に示すように、上述した実施の形態１で説明した通信機器３（図１）に対して、画像処理部２２と同様の機能を有する画像処理部３９が付加されている。また、上述した実施の形態１で説明した第２制御部３７に対応する第２制御部３７Ｂは、当該第２制御部３７に対して、操作指示情報生成部３７３が省略されているとともに、操作指示認識部２８３と同様の機能を有する操作指示認識部３７４が付加されている。
なお、第２制御部３７Ｂを構成する第２通信制御部３７１Ｂ及び第２表示制御部３７２Ｂは、上述した実施の形態１で説明した第２通信制御部３７１及び第２表示制御部３７２にそれぞれ対応する構成であり、画像処理部３９や操作指示認識部３７４の付加に伴い、一部の機能が第２通信制御部３７１及び第２表示制御部３７２とは異なる。
【０１１８】
〔撮像システムの動作〕
次に、本実施の形態３に係る撮像システム１Ｂの動作について説明する。
以下では、撮像システム１Ｂの動作として、撮像装置２Ｂの動作、及び通信機器３Ｂの動作を順に説明する。
【０１１９】
〔撮像装置の動作〕
図１６は、本実施の形態３に係る撮像装置２Ｂの動作を示すフローチャートである。
撮像装置２Ｂの動作は、上述した実施の形態１で説明した撮像装置２の動作（図２）に対して、図１６に示すように、ステップＳ１０５の代わりにステップＳ１１０を付加し、ステップＳ１０６，１０７を省略した点が異なる。
このため、以下では、上記異なる点のみを説明する。
ステップＳ１１０において、第１通信制御部２８１は、通信機器３Ｂから第１通信部２５を介して処理済画像データを受信したか否かを判断する。
処理済画像データを受信していないと判断された場合（ステップＳ１１０：Ｎｏ）には、撮像装置２Ｂは、ステップＳ１０１に戻る。
一方、処理済画像データを受信したと判断された場合（ステップＳ１１０：Ｙｅｓ）には、第１制御部２８Ｂは、受信した処理済画像データを第１メモリ部２６に記憶する。そして、第１表示制御部２８２は、ステップＳ１０８において、第１表示部２３の表示状態を、ライブビュー表示から第１メモリ部２６に記憶された処理済画像データに対応する処理済画像の表示に切り替える。
【０１２０】
〔通信機器の動作〕
図１７は、本実施の形態３に係る通信機器３Ｂの動作を示すフローチャートである。
通信機器３Ｂの動作は、上述した実施の形態１で説明した通信機器３の動作（図３）に対して、図１７に示すように、ステップＳ２０５，Ｓ２０６を省略し、ステップＳ２０７〜Ｓ２１１を付加した点が異なる。
このため、以下では、上記異なる点のみを説明する。
本実施の形態３に係るステップＳ２０４では、操作指示情報生成部３７３を省略したことに伴い、操作指示認識部３７４が、第２入力部３３からの指示信号や第２タッチパネル３２からの位置信号に基づいて、通信機器３Ｂのユーザによる第２入力部３３や第２タッチパネル３２への操作（第１ユーザ操作）によって、撮像装置２Ｂのユーザへの撮像装置２Ｂの操作指示があったか否かを判断する。
そして、操作指示認識部３７４は、操作指示があったと判断した場合（ステップＳ２０４：Ｙｅｓ）には、第２入力部３３からの指示信号や第２タッチパネル３２からの位置信号に基づいて、当該操作指示を認識する（ステップＳ２０７）。そして、操作指示認識部３７４は、操作指示に応じた処理済画像データを生成させるべく、指示信号を画像処理部３９に出力する。
【０１２１】
続いて、画像処理部３９は、操作指示認識部３７４からの指示信号に応じて、第２メモリ部３５に記憶された最新のライブビュー画像データ（現在、第２表示部３１に表示されているライブビュー画像に対応する画像データ）に対して画像処理を施し、ステップＳ２０７にて認識された操作指示に応じた処理済画像データを生成する（ステップＳ２０８）。そして、画像処理部３９にて画像処理が施された処理済画像データは、第２メモリ部３５に記憶される。
【０１２２】
続いて、第２表示制御部３７２Ｂは、第２メモリ部３５に記憶された処理済画像データを読み出し、当該処理済画像データに対応する処理済画像を第２表示部３１に表示させ、通信機器３Ｂのユーザに自身が行った操作指示がＯＫであるか否かの判断を促す（ステップＳ２０９）。
続いて、第２制御部３７Ｂは、第２入力部３３からの指示信号や第２タッチパネル３２からの位置信号に基づいて、通信機器３Ｂのユーザによる第２入力部３３や第２タッチパネル３２への操作（第２ユーザ操作）によって、操作指示がＯＫであることを示す操作が行われたか否かを判断する（ステップＳ２１０）。
【０１２３】
操作指示がＯＫであることを示す操作が行われていない（操作指示がＮＧであることを示す操作が行われた）と判断した場合（ステップＳ２１０：Ｎｏ）には、第２制御部３７Ｂは、ステップＳ２０２に戻る。
一方、操作指示がＯＫであることを示す操作が行われたと判断された場合には、第２通信制御部３７１Ｂは、第２通信部３４を介して、第２メモリ部３５に記憶された処理済画像データを撮像装置３Ｂに送信させる（ステップＳ２１１）。この後、通信機器３Ｂは、ステップＳ２０２に戻る。
【０１２４】
〔表示形態の具体例〕
以上説明した撮像システム１Ｂの動作によって撮像装置２Ｂ及び通信機器３Ｂに表示される画像の具体例について説明する。
図１８は、撮像システム１Ｂの動作によって撮像装置２Ｂ及び通信機器３Ｂに表示される画像の一例を示す図である。
具体的に、図１８は、上述した実施の形態１で説明した図４及び図５に対応した図である。図１８（ａ）及び図１８（ｃ）は、図５（ａ）及び図５（ｃ）にそれぞれ対応し、ステップＳ１０３及びＳ２０３でそれぞれ表示されるライブビュー画像Ｗ１００，Ｗ２００を示している。図１８（ｄ）は、図５（ｄ）に対応し、通信機器３Ｂのユーザにより画角変更指示が行われている様子を示している。
例えば、上述した実施の形態１で説明したような画角変更指示（図１８（ｄ））があった場合（ステップＳ２０４：Ｙｅｓ）には、通信機器３Ｂは、第２タッチパネル３２からの位置信号に基づいて、タッチ開始位置Ｐ１からタッチ終了位置Ｐ２までのスライド量Ｓを演算するとともに、スライド方向Ｄ１を認識する（ステップＳ２０７）。
【０１２５】
続いて、通信機器３Ｂは、ライブビュー画像Ｗ２００に対応するライブビュー画像データに対して画像処理を施すことにより、図１８（ｅ）に示すように、第２表示部３１における画像表示領域内において、当該ライブビュー画像Ｗ２００を方向Ｄ１にスライド量Ｓだけ移動させるとともに、当該ライブビュー画像Ｗ２００の移動後の空白領域をブランク状態とした処理済画像データ（処理済画像Ｗ２０２）を生成する（ステップＳ２０８）。
続いて、通信機器３Ｂは、処理済画像Ｗ２０２に対して、ＯＫアイコンＡ１及びＮＧアイコンＡ２（図１８（ｅ））を重畳させた画像を表示する（ステップＳ２０９）。
ここで、ＯＫアイコンＡ１は、操作指示がＯＫであることを示す操作を受け付けるアイコンである。
ＮＧアイコンＡ２は、操作指示がＮＧであることを示す操作を受け付けるアイコンである。
【０１２６】
そして、通信機器３Ｂは、当該通信機器３Ｂのユーザによる第２タッチパネル３２への操作により、ＯＫアイコンＡ１が操作された場合（ステップＳ２１０：Ｙｅｓ）に処理済画像データを撮像装置２Ｂに送信し（ステップＳ２１１）、ＮＧアイコンＡ２が操作された場合（ステップＳ２１０：Ｎｏ）にステップＳ２０２に戻る。
一方、撮像装置２Ｂは、通信機器３Ｂから処理済画像データを受信すると（ステップＳ１１０：Ｙｅｓ）、図１８（ｂ）に示すように、当該処理済画像データに対応する処理済画像Ｗ１０５を表示する（ステップＳ１０８）。
【０１２７】
以上説明した実施の形態３のように処理済画像データを生成する機能を撮像装置３Ｂではなく通信機器３Ｂに持たせ、通信機器３Ｂにて生成された処理済画像データに対応する処理済画像を撮像装置３Ｂに表示させるように構成した場合であっても、上述した実施の形態１と同様の効果を奏する。
また、本実施の形態３では、通信機器３Ｂは、処理済画像データに対応する処理済画像を表示し、当該通信機器３Ｂのユーザに操作指示がＯＫであるか否かの判断を促す（ステップＳ２０９）。そして、通信機器３Ｂは、操作指示がＯＫであることを示す操作が行われたと判断した場合に、処理済画像データを撮像装置２Ｂに送信する。
このため、通信機器３Ｂのユーザは、通信機器３Ｂに表示される処理済画像を確認することで、自らが行った操作指示が妥当であるか否かを判断することができる。また、通信機器３Ｂから撮像装置２Ｂに対して、適切な処理済画像データ（操作指示）を送信することができる。
【０１２８】
（その他の実施の形態）
ここまで、本発明を実施するための形態を説明してきたが、本発明は上述した実施の形態１〜３によってのみ限定されるべきものではない。
図１９、図２０Ａ、及び図２０Ｂは、本発明の実施の形態１〜３の変形例を説明するための図である。
具体的に、図１９、図２０Ａ、及び図２０Ｂは、上述した実施の形態１で説明した図４及び図５に対応した図である。
上述した実施の形態１では、撮像装置２は、ステップＳ１０８において、処理済画像（図４及び図５の例では処理済画像Ｗ１０１（図５（ｂ）））を表示していたが、これに限られず、ライブビュー画像と処理済画像とを合成した合成画像を表示したり、ライブビュー画像と処理済画像とを並べて表示したりしても構わない。
例えば、図１９に示すように、ライブビュー画像Ｗ１００（図１９（ａ））と処理済画像Ｗ１０１（図１９（ｂ））とを所定の比率で合成した合成画像Ｗ１０６（図１９（ｃ）、ライブビュー画像Ｗ１００を破線で表現）を表示する構成としても構わない。この際、例えば、１秒毎に、ライブビュー画像Ｗ１００と、ライブビュー画像Ｗ１００を５０％の合成比率、及び処理済画像Ｗ１０１を５０％の合成比率で合成した合成画像Ｗ１０６とを交互に表示する構成としても構わない。
【０１２９】
また、例えば、図２０Ａに示すように、ライブビュー画像Ｗ１００と処理済画像Ｗ１０１とを並べた画像Ｗ１０７を表示する構成としても構わない。
さらに、例えば、図２０Ｂに示すように、処理済画像Ｗ１０１に対して、当該処理済画像Ｗ１０１よりも画像サイズを小さくしたライブビュー画像Ｗ１００を重畳した画像Ｗ１０８を表示する構成としても構わない。
【０１３０】
なお、上述した実施の形態２においては、最新のライブビュー画像と処理済画像との交互表示（ステップＳ３０６Ｆ）に代えて、上述した画像Ｗ１０６〜Ｗ１０７を表示する構成としても構わない。
また、上述した実施の形態３においては、処理済画像の表示（ステップＳ１０８）に代えて、ライブビュー画像Ｗ１００（図１８（ａ））及び処理済画像Ｗ１０５（図１８（ｂ））を利用して上述した画像Ｗ１０６〜Ｗ１０７を生成し、表示する構成としても構わない。
【０１３１】
上述した実施の形態１〜３において、撮像装置２，２Ａ，２Ｂのユーザによる第１入力部２４，２４Ａや第１タッチパネル５０への操作によって、処理済画像を第１表示部２３，２３Ａに表示させる際の複数の表示態様のうちいずれかの表示態様を選択させ、選択された表示態様で第１表示部２３，２３Ａに処理済画像を表示させるように構成しても構わない。すなわち、第１入力部２４，２４Ａ及び第１タッチパネル５０は、本発明に係る指示受付部としての機能を有する。
ここで、上記複数の表示態様としては、例えば、上述した実施の形態１〜３で説明したステップＳ１０８，Ｓ３０６Ｆで説明した表示態様、図１９、図２０Ａ，及び図２０Ｂで示した表示態様が挙げられる。
このように構成すれば、撮像装置２，２Ａ，２Ｂのユーザの好みに応じた表示態様で処理済画像を表示させることができる。
【０１３２】
上述した実施の形態１〜３において、処理済画像を表示したり（ステップＳ１０８）、最新のライブビュー画像及び処理済画像を交互表示したり（ステップＳ３０６Ｆ）することにより、撮像装置２，２Ａ，２Ｂのユーザに操作指示に応じた操作を促す際、当該表示とともに当該操作を促すガイド情報を表示するように構成しても構わない。
例えば、図４及び図５の例では、ガイド情報として、「画角を右に変更して下さい。」等のメッセージや、右向きの矢印等が挙げられる。
【０１３３】
上述した実施の形態１〜３では、通信機器３，３Ａ，３Ｂのユーザが行う撮像装置２，２Ａ，２Ｂのユーザへの撮像装置２，２Ａ，２Ｂの操作指示として、画角変更指示を例示して説明したが、これに限られず、その他の操作指示、例えば、撮像装置２，２Ａ，２Ｂのズーム倍率を変更させるズーム変更指示であっても構わない。
【０１３４】
さらに、処理フローは、上述した実施の形態１〜３で説明したフローチャートにおける処理の順序に限られず、矛盾のない範囲で変更しても構わない。
また、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１３５】
１，１Ａ，１Ｂ  撮像システム
２，２Ａ，２Ｂ  撮像装置
３，３Ａ，３Ｂ  通信機器
４  本体部
５  レンズ部
２１  撮像部
２２，２２Ａ  画像処理部
２３，２３Ａ  第１表示部
２４，２４Ａ  第１入力部
２５，２５Ａ  第１通信部
２６  第１メモリ部
２７  第１記録部
２８，２８Ａ，２８Ｂ  第１制御部
３１  第２表示部
３２  第２タッチパネル
３３  第２入力部
３４，３４Ａ  第２通信部
３５  第２メモリ部
３６  第２記録部
３７，３７Ａ，３７Ｂ  第２制御部
３８  第３メモリ部
３９  画像処理部
４０  シャッタ
４１  シャッタ駆動部
４２  撮像素子
４３  撮像素子駆動部
４４  信号処理部
４５  Ａ／Ｄ変換部
４６  ＡＥ処理部
４７  ＡＦ処理部
４８  画像圧縮展開部
４９  表示駆動部
５０  第１タッチパネル
５１  記録媒体
５２  メモリＩ／Ｆ
５３  第１ＳＤＲＡＭ
５４  第２ＳＤＲＡＭ
５５  Ｆｌａｓｈメモリ
５６  本体通信部
５７  バス
５８  光学系
５９  ズームレンズ駆動部
６０  ズームレンズ位置検出部
６１  フォーカスレンズ駆動部
６２  フォーカスレンズ位置検出部
６３  絞り
６４  絞り駆動部
６５  絞り値検出部
６６  レンズ操作部
６７  レンズ記録部
６８  レンズ通信部
６９  レンズ制御部
２４１  電源スイッチ
２４２  レリーズスイッチ
２４３  モード切替スイッチ
２４４  操作スイッチ
２４４ａ〜２４４ｄ  方向スイッチ
２４４ｅ  決定スイッチ
２４５  メニュースイッチ
２４６  再生スイッチ
２４７  動画スイッチ
２８１，２８１Ａ  第１通信制御部
２８２，２８２Ａ  第１表示制御部
２８３  操作指示認識部
２８４  操作判定部
３７１，３７１Ａ，３７１Ｂ  第２通信制御部
３７２，３７２Ａ，３７２Ｂ  第２表示制御部
３７３  操作指示情報生成部
３７４  操作指示認識部
５８１  ズームレンズ
５８２  フォーカスレンズ
Ａ１  ＯＫアイコン
Ａ２  ＮＧアイコン
Ｄ１  方向
Ｐ１  タッチ開始位置
Ｐ２  タッチ終了位置
Ｌ  光軸
Ｓ  スライド量
Ｗ１００，Ｗ１０４，Ｗ２００，Ｗ２０１  ライブビュー画像
Ｗ１０１，Ｗ１０５，Ｗ２０２  処理済画像
Ｗ１０２，Ｗ１０３，Ｗ１０７，Ｗ１０８  画像
Ｗ１０６  合成画像
【図１】
2015070477.tif 000003
【図２】
2015070477.tif 000004
【図３】
2015070477.tif 000005
【図４】
2015070477.tif 000006
【図５】
2015070477.tif 000007
【図６】
2015070477.tif 000008
【図７】
2015070477.tif 000009
【図８】
2015070477.tif 000010
【図９】
2015070477.tif 000011
【図１０】
2015070477.tif 000012
【図１１】
2015070477.tif 000013
【図１２】
2015070477.tif 000014
【図１３】
2015070477.tif 000015
【図１４】
2015070477.tif 000016
【図１５】
2015070477.tif 000017
【図１６】
2015070477.tif 000018
【図１７】
2015070477.tif 000019
【図１８】
2015070477.tif 000020
【図１９】
2015070477.tif 000021
【図２０Ａ】
2015070477.tif 000022
【図２０Ｂ】
2015070477.tif 000023